(57)【要約】  本発明は、通信分野に関し、関連技術でＭＦネットワークとＬＴＥネットワークを区別できない問題を解決するネットワーク区別方法、装置、機器、チップおよび端末を開示する。当該方法は、複数のネットワークの構成情報を受信することと、構成情報における少なくとも１つの第１ネットワーク属性情報と、少なくとも１つの第２ネットワーク属性情報とのうち、異なる値を有する同一タイプの属性情報に基づいて、第１ネットワークと第２ネットワークとを区別することとを含む。構成情報が、第１ネットワークの少なくとも１つの第１ネットワーク属性情報と、第２ネットワークの少なくとも１つの第２ネットワーク属性情報とを含み、第１ネットワーク属性情報が、第１ネットワークＩＤ、第１無線アクセスタイプおよび第１サービス位置エリアを含み、第２ネットワーク属性情報が、第２ネットワークＩＤ、第２無線アクセスタイプおよび第２サービス位置エリアを含む。【選択図】  図４
2019506099.tif 000002
【特許請求の範囲】
【請求項１】
第１ネットワークの第１ネットワーク属性情報と、第２ネットワークの第２ネットワーク属性情報とを取得するステップと、
前記第１ネットワーク属性情報と前記第２ネットワーク属性情報とのうち、異なる値を有する同一タイプの属性情報に基づいて、前記第１ネットワークと前記第２ネットワークとを区別するステップとを含み、
前記第１ネットワーク属性情報が、第１ネットワークＩＤ、第１無線アクセスタイプおよび第１サービス位置エリアのうちの少なくとも１つを含み、
前記第２ネットワーク属性情報が、第２ネットワークＩＤ、第２無線アクセスタイプおよび第２サービス位置エリアのうちの少なくとも１つを含むネットワーク区別方法。
【請求項２】
前記第１ネットワーク属性情報と前記第２ネットワーク属性情報とのうち、異なる値を有する同一タイプの属性情報に基づいて、前記第１ネットワークと前記第２ネットワークとを区別するステップは、
前記第１ネットワークＩＤと前記第２ネットワークＩＤとが異なる場合、前記第１ネットワークＩＤと前記第２ネットワークＩＤとに基づいて、前記第１ネットワークと前記第２ネットワークとを区別するステップ、または
前記第１無線アクセスタイプと前記第２無線アクセスタイプとが異なる場合、前記第１無線アクセスタイプと前記第２無線アクセスタイプとに基づいて、前記第１ネットワークと前記第２ネットワークとを区別するステップ、
または
前記第１サービス位置エリアと前記第２サービス位置エリアとが異なる場合、前記第１サービス位置エリアと前記第２サービス位置エリアとに基づいて、前記第１ネットワークと前記第２ネットワークとを区別するステップを含む請求項１に記載のネットワーク区別方法。
【請求項３】
前記第１ネットワークＩＤと前記第２ネットワークＩＤとが異なる場合、前記第１ネットワークＩＤと前記第２ネットワークＩＤとに基づいて、前記第１ネットワークと前記第２ネットワークとを区別するステップは、
前記第１無線アクセスタイプと前記第２無線アクセスタイプとが同一であるものの、前記第１ネットワークＩＤと前記第２ネットワークＩＤとが異なる場合、前記第１ネットワークＩＤと前記第２ネットワークＩＤとに基づいて、前記第１ネットワークと前記第２ネットワークとを区別することを含む請求項２に記載のネットワーク区別方法。
【請求項４】
前記第１無線アクセスタイプと前記第２無線アクセスタイプとが異なる場合、前記第１無線アクセスタイプと前記第２無線アクセスタイプとに基づいて、前記第１ネットワークと前記第２ネットワークとを区別するステップは、
前記第１ネットワークＩＤと前記第２ネットワークＩＤとが同一であるものの、前記第１無線アクセスタイプと前記第２無線アクセスタイプとが異なる場合、前記第１無線アクセスタイプと前記第２無線アクセスタイプとに基づいて、前記第１ネットワークと前記第２ネットワークとを区別することを含む請求項２に記載のネットワーク区別方法。
【請求項５】
前記第１サービス位置エリアと前記第２サービス位置エリアとが異なる場合、前記第１サービス位置エリアと前記第２サービス位置エリアとに基づいて、前記第１ネットワークと前記第２ネットワークとを区別するステップは、
前記第１ネットワークＩＤと前記第２ネットワークＩＤとが同一であり、前記第１無線アクセスタイプと前記第２無線アクセスタイプとが同一であるものの、前記第１サービス位置エリアと前記第２サービス位置エリアとが異なる場合、前記第１サービス位置エリアと前記第２サービス位置エリアとに基づいて、前記第１ネットワークと前記第２ネットワークとを区別することを含む請求項２に記載のネットワーク区別方法。
【請求項６】
前記第１ネットワークと前記第２ネットワークとを区別した後に、
ユーザ機器から前記第１ネットワークまたは前記第２ネットワークへのアクセスが許可される、および前記第１ネットワーク属性情報と前記第２ネットワーク属性情報とに基づいて、前記ユーザ機器のユーザサーバ記憶情報を設置するステップをさらに含み、
前記ユーザサーバ記憶情報が、前記ユーザ機器のアクセスが許可されるネットワークのネットワークＩＤリスト、前記ユーザ機器のアクセスが制限される無線アクセスタイプリスト、および前記ユーザ機器のアクセスが制限されるサービス位置エリアリストを含み、
前記ユーザ機器のアクセスが許可される前記ネットワークの前記ネットワークＩＤリストが、前記ユーザ機器の登録情報におけるホームネットワークと同等の前記ネットワークの前記ネットワークＩＤリストを含む請求項１に記載のネットワーク区別方法。
【請求項７】
前記ユーザ機器から前記第１ネットワークまたは前記第２ネットワークへのアクセスが許可される、および前記第１ネットワーク属性情報と前記第２ネットワーク属性情報とに基づいて、前記ユーザ機器の前記ユーザサーバ記憶情報を設置するステップは、
前記第１ネットワークＩＤと前記第２ネットワークＩＤとが同一であり、前記第１ネットワークのタイプと前記第２ネットワークのタイプとが同一である場合、前記ユーザ機器から前記第１ネットワークまたは前記第２ネットワークへのアクセスが許可されなければ、前記第１ネットワークＩＤまたは前記第２ネットワークＩＤを含むように前記ユーザ機器のアクセスが許可される前記ネットワークの前記ネットワークＩＤリストを設置し、前記第１ネットワークのタイプまたは前記第２ネットワークのタイプを含まないように前記ユーザ機器のアクセスが制限される無線アクセスタイプリストを設置し、前記第１サービス位置エリアまたは前記第２サービス位置エリアを含むように前記ユーザ機器のアクセスが制限されるサービス位置エリアリストを設置することを含む請求項６に記載のネットワーク区別方法。
【請求項８】
前記第１ネットワークと前記第２ネットワークとを区別した後に、
前記ユーザ機器の前記ユーザサーバ記憶情報を取得するステップと、
区別された前記第１ネットワークまたは前記第２ネットワークへ前記ユーザ機器がアクセスしようとする場合、前記ユーザサーバ記憶情報に基づいて、アイドル状態の前記ユーザ機器が前記第１ネットワークまたは前記第２ネットワークにアクセスするように制御するステップとをさらに含む請求項６または請求項７に記載のネットワーク区別方法。
【請求項９】
前記ユーザサーバ記憶情報に基づいて、アイドル状態の前記ユーザ機器が前記第１ネットワークまたは前記第２ネットワークにアクセスするように制御するステップは、
前記第１ネットワークＩＤまたは前記第２ネットワークＩＤが前記ユーザ機器のアクセスが許可される前記ネットワークＩＤリストに含まれ、かつ前記第１無線アクセスタイプまたは前記第２無線アクセスタイプが前記ユーザ機器のアクセスが制限される前記無線アクセスタイプリストに含まれず、かつ前記第１サービス位置エリアまたは前記第２サービス位置エリアが前記ユーザ機器のアクセスが制限される前記サービス位置エリアリストに含まれないのであれば、アイドル状態の前記ユーザ機器から前記第１ネットワークまたは前記第２ネットワークへのアクセスを許可し、そうでなければ、アイドル状態の前記ユーザ機器から前記第１ネットワークまたは前記第２ネットワークへのアクセスを許可しないことを含み、
前記第１ネットワークＩＤと前記第２ネットワークＩＤとが異なり、または、前記第１無線アクセスタイプと前記第２無線アクセスタイプとが異なり、または、前記第１サービス位置エリアと前記第２サービス位置エリアとが異なる請求項８に記載のネットワーク区別方法。
【請求項１０】
前記ユーザ機器の前記ユーザサーバ記憶情報を取得した後に、
該ユーザサーバ記憶情報に基づいて、前記ユーザ機器に関する前記ネットワーク間での切替制限リストを生成して取得するステップと、
前記切替制限リストに基づいて、接続状態の前記ユーザ機器が前記第１ネットワークまたは前記第２ネットワークに切り替えるように制御するステップとをさらに含み、
前記切替制限リストが、前記ユーザ機器の切り替えが許可される目標ネットワークのネットワークＩＤリスト、前記ユーザ機器の切り替えが制限される前記目標ネットワークの無線アクセスタイプリスト、および前記ユーザ機器の切り替えが制限される前記目標ネットワークのサービス位置エリアリストを含み、
前記ユーザ機器の切り替えが許可される前記目標ネットワークの前記ネットワークＩＤリストが、前記ユーザ機器の登録情報におけるホームネットワークと同等の前記ネットワークの前記ネットワークＩＤリストを含む請求項８に記載のネットワーク区別方法。
【請求項１１】
前記切替制限リストに基づいて、接続状態の前記ユーザ機器が前記第１ネットワークまたは前記第２ネットワークに切り替えるように制御するステップは、
前記第１ネットワークＩＤまたは前記第２ネットワークＩＤが前記ユーザ機器の切り替えが許可される前記目標ネットワークの前記ネットワークＩＤリストに含まれ、かつ前記第１無線アクセスタイプまたは前記第２無線アクセスタイプが前記ユーザ機器のアクセスが制限される前記無線アクセスタイプリストに含まれず、かつ前記第１サービス位置エリアまたは前記第２サービス位置エリアが前記ユーザ機器の切り替えが制限される前記目標ネットワークの前記サービス位置エリアリストに含まれないのであれば、接続状態の前記ユーザ機器が前記第１ネットワークまたは前記第２ネットワークに切り替えることを許可するステップ、
そうでなければ、接続状態の前記ユーザ機器が前記第１ネットワークまたは前記第２ネットワークに切り替えることを許可しないステップを含み、
前記第１ネットワークＩＤと前記第２ネットワークＩＤとが異なり、または、前記第１無線アクセスタイプと前記第２無線アクセスタイプとが異なり、または、前記第１サービス位置エリアと前記第２サービス位置エリアとが異なる請求項１０に記載のネットワーク区別方法。
【請求項１２】
接続状態の前記ユーザ機器が前記第１ネットワークまたは前記第２ネットワークに切り替えることを許可するステップの後に、
接続状態の前記ユーザ機器から前記第１ネットワークと前記第２ネットワークとの両方へのアクセスが許可される場合、前記第１ネットワークと前記第２ネットワークの切替優先度に基づいて、接続状態の前記ユーザ機器を前記第１ネットワークと前記第２ネットワークとのうち優先度の高い前記ネットワークに切り替えることをさらに含む請求項１１に記載のネットワーク区別方法。
【請求項１３】
接続状態の前記ユーザ機器が前記第１ネットワークまたは前記第２ネットワークに切り替えるように制御するステップの後に、
前記ユーザ機器の現在の位置情報に基づいて、前記ユーザ機器の現在の切替先である前記第１ネットワークまたは前記第２ネットワークを確定するステップと、
前記ユーザ機器の現在の切替先である前記第１ネットワークまたは前記第２ネットワークに対応するＱｏｓポリシーに基づいて前記ユーザ機器に対しＱｏｓ制御を行い、および／または、前記ユーザ機器の現在の切替先である前記第１ネットワークまたは前記第２ネットワークに対応する課金ポリシーに基づいて前記ユーザ機器に対し課金制御を行うステップとをさらに含む請求項１０に記載のネットワーク区別方法。
【請求項１４】
アイドル状態の前記ユーザ機器が前記第１ネットワークまたは前記第２ネットワークにアクセスするように制御するステップの後に、
前記ユーザ機器の現在の位置情報に基づいて、前記ユーザ機器のアクセス中の前記第１ネットワークまたは前記第２ネットワークを確定するステップと、
前記ユーザ機器のアクセス中の前記第１ネットワークまたは前記第２ネットワークに対応するＱｏｓポリシーに基づいて前記ユーザ機器に対しＱｏｓ制御を行い、および／または、前記ユーザ機器のアクセス中の前記第１ネットワークまたは前記第２ネットワークに対応する課金ポリシーに基づいて前記ユーザ機器に対し課金制御を行うステップとをさらに含む請求項８に記載のネットワーク区別方法。
【請求項１５】
第１ネットワークの第１ネットワーク属性情報と、第２ネットワークの第２ネットワーク属性情報とを取得する取得モジュールと、
前記第１ネットワーク属性情報と前記第２ネットワーク属性情報とのうち、異なる値を有する同一タイプの属性情報に基づいて、前記第１ネットワークと前記第２ネットワークとを区別する区別モジュールとを備え、
前記第１ネットワーク属性情報が、第１ネットワークＩＤ、第１無線アクセスタイプおよび第１サービス位置エリアのうちの少なくとも１つを含み、
前記第２ネットワーク属性情報が、第２ネットワークＩＤ、第２無線アクセスタイプおよび第２サービス位置エリアのうちの少なくとも１つを含むネットワーク区別装置。
【請求項１６】
第１ネットワークの第１ネットワーク属性情報と、第２ネットワークの第２ネットワーク属性情報とを受信する受信機と、
前記第１ネットワーク属性情報と前記第２ネットワーク属性情報とのうち、異なる値を有する同一タイプの属性情報に基づいて、前記第１ネットワークと前記第２ネットワークとを区別する機能を実現するように配置され、前記受信機に接続されるプロセッサとを備え、
前記第１ネットワーク属性情報が、第１ネットワークＩＤ、第１無線アクセスタイプおよび第１サービス位置エリアのうちの少なくとも１つを含み、
前記第２ネットワーク属性情報が、第２ネットワークＩＤ、第２無線アクセスタイプおよび第２サービス位置エリアのうちの少なくとも１つを含むネットワーク区別機器。
【請求項１７】
プロセッサと、
該プロセッサにより実行可能な指令が記憶されているメモリとを備えるネットワーク区別用のチップであって、
前記指令が実行されると、前記プロセッサは、
第１ネットワークの第１ネットワーク属性情報と、第２ネットワークの第２ネットワーク属性情報とを取得することと、
前記第１ネットワーク属性情報と前記第２ネットワーク属性情報とのうち、異なる値を有する同一タイプの属性情報に基づいて、前記第１ネットワークと前記第２ネットワークとを区別することとを実行し、
前記第１ネットワーク属性情報が、第１ネットワークＩＤ、第１無線アクセスタイプおよび第１サービス位置エリアのうちの少なくとも１つを含み、
前記第２ネットワーク属性情報が、第２ネットワークＩＤ、第２無線アクセスタイプおよび第２サービス位置エリアのうちの少なくとも１つを含むネットワーク区別用のチップ。
【請求項１８】
ネットワーク区別用のチップを含む端末であって、
前記チップは、
プロセッサと、
該プロセッサにより実行可能な指令が記憶されているメモリとを備え、
前記指令が実行されると、前記プロセッサは、
第１ネットワークの第１ネットワーク属性情報と、第２ネットワークの第２ネットワーク属性情報とを取得することと、
前記第１ネットワーク属性情報と前記第２ネットワーク属性情報とのうち、異なる値を有する同一タイプの属性情報に基づいて、前記第１ネットワークと前記第２ネットワークとを区別することとを実行し、
前記第１ネットワーク属性情報が、第１ネットワークＩＤ、第１無線アクセスタイプおよび第１サービス位置エリアのうちの少なくとも１つを含み、
前記第２ネットワーク属性情報が、第２ネットワークＩＤ、第２無線アクセスタイプおよび第２サービス位置エリアのうちの少なくとも１つを含む端末。
【発明の詳細な説明】
【優先権情報】
【０００１】
本願は、２０１６年２月１９日に中国特許庁に提出された中国特許出願２０１６１００９４８４８．４の優先権を主張し、その全ての内容が援用により本願に取り込まれる。
【技術分野】
【０００２】
本発明は、通信技術分野に関し、特にネットワーク区別方法、装置および機器に関するものである。
【背景技術】
【０００３】
ＬＴＥ（Ｌｏｎｇ  Ｔｅｒｍ  Ｅｖｏｌｕｔｉｏｎ）に基づく新規の無線アクセス技術であるＭｕｌｔｅＦｉｒｅは、ライセンスバンドの搬送波を介さずにアンライセンススペクトルで独立に運用することができる。ＭｕｌｔｅＦｉｒｅは、ＬＴＥをアンライセンススペクトルに拡張させる。エアインタフェースリソースをアンライセンスバンドにある機器と公平に占有するために、ＷｉＦｉの搬送波モニタリング技術に類似するＬＢＴ（Ｌｉｓｔｅｎ  Ｂｅｆｏｒｅ  Ｔａｌｋ）メカニズムが物理レイヤで導入されている。
【０００４】
ＭｕｌｔｅＦｉｒｅは、従来の３ＧＰＰ（３ｒｄ  Ｇｅｎｅｒａｔｉｏｎ  Ｐａｒｔｎｅｒｓｈｉｐ  Ｐｒｏｊｅｃｔ）ネットワークアーキテクチャーに用いることができ、従来の３ＧＰＰコアネットワークと接続し、アンランセンススペクトルによる容量、カバレッジおよびデータオフロードを従来の移動ネットワーク事業者に提供し、ランセンススペクトルの補充またはホットスポットによって従来事業者のサービス品質を向上させる。
【０００５】
また、ＭｕｌｔｅＦｉｒｅに新規のネットワークアーキテクチャーも導入され、統一的に計画されて自己組織化したニュートラルホスト（Ｎｅｕｔｒａｌ  Ｈｏｓｔ）ネットワークが提供され、サービス提供業者、機器供給業者またはユーザがいずれもネットワークの配置に参与することができる。任意のネットワークは、インターネットサービス提供業者、有線テレビ、移動ネットワーク事業者、企業および公共場所サービス提供者を含む各種類のサービス提供業者にサービスを提供することができ、ＳＩＭカードのない端末に認証やネットワークアクセスを提供することができる。
【０００６】
現在、ＭｕｌｔｅＦｉｒｅの全世界における技術標準の発展を促進し、ＭｕｌｔｅＦｉｒｅの将来の進化を推し進め、ＭｕｌｔｅＦｉｒｅ機器とアンライセンススペクトルにあるほかの機器（例えばＷｉＦｉ）との間でアンライセンススペクトルリソースを公平に占有することを確保するために、ＭｕｌｔｅＦｉｒｅを推進する連盟組織が設立されて運営されている。
【０００７】
しかし、ＭＦ（ＭｕｌｔｅＦｉｒｅ）ネットワークとＬＴＥネットワークとのアクセスレイヤの物理レイヤ技術にＬＴＥが用いられ、かつＮＨ（Ｎｅｕｔｒａｌ  Ｈｏｓｔ）方式のＭＦネットワークとＥＰＣ（Ｅｖｏｌｖｅｄ  Ｐａｃｋｅｔ  Ｃｏｒｅ  Ｎｅｔｗｏｒｋ）方式のＭＦネットワークとのアクセスレイヤの物理レイヤ技術にもＬＴＥが用いられる。発明者は、本発明の実現中に、関連技術に下記問題が存在することを発見した。
【０００８】
３ＧＰＰコアネットワークは、上記ＭＦネットワークと従来のＬＴＥネットワークとの区別、およびＮＨ方式のＭＦネットワークとＥＰＣ接続方式のＭＦネットワークとの区別ができないため、ＵＥに対するアクセス制限、切り替えおよび／またはＱｏｓ制御、課金制御を実現することができない。
【発明の概要】
【発明が解決しようとする課題】
【０００９】
本発明が解決しようとする技術課題は、ＭＦネットワークとＬＴＥネットワークの区別を実現するために、ネットワーク区別方法、装置および機器を提供することである。
【課題を解決するための手段】
【００１０】
上述の技術課題を解決するために、本発明の一態様として、ネットワーク区別方法を提供する。当該方法において、複数のネットワークの構成情報を取得するステップを含む。前記構成情報は、第１ネットワークの少なくとも１つの第１ネットワーク属性情報と、第２ネットワークの少なくとも１つの第２ネットワーク属性情報とを含む。当該方法において、さらに、前記構成情報における少なくとも１つの前記第１ネットワーク属性情報と少なくとも１つの前記第２ネットワーク属性情報とのうち、異なる値を有する同一タイプの属性情報に基づいて、前記第１ネットワークと前記第２ネットワークとを区別するステップを含む。少なくとも１つの前記第１ネットワーク属性情報は、第１ネットワークＩＤ、第１無線アクセスタイプおよび第１サービス位置エリアを含み、少なくとも１つの前記第２ネットワーク属性情報は、第２ネットワークＩＤ、第２無線アクセスタイプおよび第２サービス位置エリアを含む。
【００１１】
本発明の他の態様として、取得モジュールと区別モジュールとを備えるネットワーク区別装置を提供する。前記取得モジュールは、複数のネットワークの構成情報を取得することに用いられる。前記構成情報は、第１ネットワークの少なくとも１つの第１ネットワーク属性情報と、第２ネットワークの少なくとも１つの第２ネットワーク属性情報とを含む。前記区別モジュールは、前記構成情報における少なくとも１つの前記第１ネットワーク属性情報と少なくとも１つの前記第２ネットワーク属性情報とのうち、異なる値を有する同一タイプの属性情報に基づいて、前記第１ネットワークと前記第２ネットワークとを区別することに用いられる。少なくとも１つの前記第１ネットワーク属性情報が、第１ネットワークＩＤ、第１無線アクセスタイプおよび第１サービス位置エリアを含み、少なくとも１つの前記第２ネットワーク属性情報が、第２ネットワークＩＤ、第２無線アクセスタイプおよび第２サービス位置エリアを含む。
【００１２】
さらに、本発明の他の態様として、受信機とプロセッサとを備えるネットワーク区別機器を提供する。前記受信機は、複数のネットワークの構成情報を取得することに用いられる。前記構成情報は、第１ネットワークの少なくとも１つの第１ネットワーク属性情報と、第２ネットワークの少なくとも１つの第２ネットワーク属性情報とを含む。前記受信機に接続される前記プロセッサは、前記構成情報における少なくとも１つの前記第１ネットワーク属性情報と少なくとも１つの前記第２ネットワーク属性情報とのうち、異なる値を有する同一タイプの属性情報に基づいて、前記第１ネットワークと前記第２ネットワークとを区別する機能を実現するように配置される。ここで、少なくとも１つの前記第１ネットワーク属性情報が、第１ネットワークＩＤ、第１無線アクセスタイプおよび第１サービス位置エリアを含み、少なくとも１つの前記第２ネットワーク属性情報が、第２ネットワークＩＤ、第２無線アクセスタイプおよび第２サービス位置エリアを含む。
【発明の効果】
【００１３】
上記技術手段において、前記構成情報における少なくとも１つの前記第１ネットワーク属性情報と少なくとも１つの前記第２ネットワーク属性情報とのうち、異なる値を有する同一タイプの属性情報に基づいて、前記第１ネットワークと前記第２ネットワークとを区別する。少なくとも１つの前記第１ネットワーク属性情報が、第１ネットワークＩＤ、第１無線アクセスタイプおよび第１サービス位置エリアを含み、少なくとも１つの前記第２ネットワーク属性情報が、第２ネットワークＩＤ、第２無線アクセスタイプおよび第２サービス位置エリアを含む。すなわち、ＭＦネットワーク（第１ネットワーク）に対してＬＴＥネットワーク（第２ネットワーク）と異なるＰＬＭＮ  ＩＤ（ネットワークＩＤ）、ＲＡＴ（Ｒａｄｉｏ  Ａｃｃｅｓｓ  Ｔｅｃｈｎｉｑｕｅ；無線アクセス技術）のタイプおよびサービス位置エリア（ＴＡＣ（トラッキングエリアコード）など）を配置する方式によって、ＭＦネットワークとＬＴＥネットワークを区別する。
【図面の簡単な説明】
【００１４】
【図１】ＭＦネットワークのＮＨ方式のアーキテクチャー図である。
【図２】ＭＦネットワークのＮＨ方式の他のアーキテクチャー図である。
【図３】ＭＦネットワークのＥＰＣ方式のアーキテクチャー図である。
【図４】本発明の一部の実施例のネットワーク区別方法のフローチャートである。
【図５】本発明の一部の実施例のネットワーク区別方法のフローチャートである。
【図６】本発明の一部の実施例のネットワーク区別方法のフローチャートである。
【図７】本発明の一部の実施例のネットワーク区別方法のフローチャートである。
【図８】本発明の一部の実施例のネットワーク区別方法のフローチャートである。
【図９】本発明の一部の実施例が具体的に実現されるフローチャートである。
【図１０】本発明の一部の実施例のネットワーク区別方法のフローチャートである。
【図１１】本発明の一部の実施例が具体的に実現されるフローチャートである。
【図１２】本発明の一部の実施例のネットワーク区別方法のフローチャートである。
【図１３】本発明の一部の実施例が具体的に実現されるフローチャートである。
【図１４】本発明の一部の実施例の装置のモジュールブロック図である。
【図１５】本発明の一部の実施例の機器の構造ブロック図である。
【発明を実施するための形態】
【００１５】
本発明の解決しようとする技術課題、技術手段および利点は、より明確にされるために、以下、図面および具体的な実施例を参照して詳細に記載される。
【００１６】
本発明は、関連技術において３ＧＰＰコアネットワークによって上記ＭＦネットワークと従来のＬＴＥネットワークとの区別およびＮＨ方式のＭＦネットワークとＥＰＣ接続方式のＭＦネットワークとの区別ができないため、３ＧＰＰコアネットワークからのＵＥに対するアクセス制限、切り替えおよび／またはＱｏｓ制御、課金制御が実現できない問題に対するものである。本発明の下記実施例に係るネットワーク区別方法、装置および機器は、ＭＦネットワークに対してＬＴＥネットワークと異なるＰＬＭＮ  ＩＤ、位置エリアを配置する方式によってＭＦネットワークとＬＴＥネットワークを区別し、さらにコアネットワークが区別済みのネットワークタイプに基づいてＵＥに対するアクセス制限、切り替えおよび／またはＱｏｓ制御、課金制御を行えることが実現できる。
【００１７】
図１は、ＭｕｌｔｅＦｉｒｅネットワークの現在の一種のネットワーク方式であるニュートラルホスト方式を示す。ＮＨ方式は、ＭＦ  ＲＡＮ（Ｒａｄｉｏ  Ａｃｃｅｓｓ  Ｎｅｔｗｏｒｋ）がＭＦコアネットワーク（ＣＮ：ＣｏｒｅＮｅｔｗｏｒｋ）に接続されるネットワーク方式である。ＭＦ  ＣＮからＭｕｌｔｅＦｉｒｅに新規導入した統一的に計画されて自己組織化したニュートラルネットワークは、３ＧＰＰネットワークとのＲＡＮレベルの切り替えをサポートしない。
【００１８】
同様に、ＮＨ方式のＭＦネットワークについても、ＭＦ  ＣＮがＬＴＥネットワークのＲＡＮに接続されない。したがって、ＮＨ方式のＭＦネットワークと、ＬＴＥネットワークとが、２つの完全に独立したネットワークであり、異なるネットワークＩＤを有し、すなわち異なるＰＬＭＮ（Ｐｕｂｌｉｃ  Ｌａｎｄ  Ｍｏｂｉｌｅ  Ｎｅｔｗｏｒｋ）ＩＤ（Ｉｄｅｎｔｉｔｙ）を有する。
【００１９】
図２に示されるように、ＮＨ方式のＭＦネットワークのＭＦ  ＣＮは、３ＧＰＰのＡＡＡ（Ａｕｔｈｅｎｔｉｃａｔｉｏｎ，Ａｕｔｈｏｒｉｚａｔｉｏｎ  ａｎｄ  Ａｃｃｏｕｎｔｉｎｇ）サーバと通信することができ、ＰＳＰのＡＡＡサーバと通信することもでき、相応な機能を実現する。
【００２０】
図３は、ＭｕｌｔｅＦｉｒｅネットワークの現在の別のネットワーク方式であるＥＰＣ接続方式である。ＥＰＣ接続方式は、ＭＦ  ＲＡＮが従来の３ＧＰＰコアネットワークに接続されるネットワーク方式である。ＵＥ（Ｕｓｅｒ  Ｅｑｕｉｐｍｅｎｔ）は、ＭＦ  ＲＡＮと３ＧＰＰ  ＲＡＮとの間でＳ１とＸ２とを切り替えることができる。
【００２１】
同様に、ＥＰＣ方式のＭＦネットワークについても、ＵＥは、ＭＦ  ＲＡＮとＬＴＥ  ＲＡＮとの間で切り替えを行うことができる。したがって、ＥＰＣ方式のＭＦネットワークとＬＴＥネットワークとが、同一のＰＬＭＮ  ＩＤを有していてもよく、もちろん異なるＰＬＭＮ  ＩＤを有していてもよい。
【００２２】
図４に示される本発明の一部の実施例に係るネットワーク区別方法は、下記ステップ４１とステップ４２とを含む。
【００２３】
ステップ４１において、複数のネットワークの構成情報を取得する。ここで、構成情報は、第１ネットワークの少なくとも１つの第１ネットワーク属性情報と、第２ネットワークの少なくとも１つの第２ネットワーク属性情報とを含む。少なくとも１つの第１ネットワーク属性情報は、第１ネットワークＩＤ、第１無線アクセスタイプおよび第１サービス位置エリアを含む。第１ネットワークＩＤは、第１ネットワークのＰＬＭＮ  ＩＤであり、第１無線アクセスタイプは、第１ネットワークのＲＡＴ（Ｒａｄｉｏ  Ａｃｃｅｓｓ  Ｔｅｃｈｎｉｑｕｅ）のタイプであり、第１サービス位置エリアは、第１ネットワークのトラッキングエリアコード（ＴＡＣ：Ｔｒａｃｋｉｎｇ  Ｃｏｄｅ）、位置エリアコード（ＬＡＣ：Ｌｏｃａｔｉｏｎ  Ａｒｅａ  Ｃｏｄｅ）またはルーティングエリアコード（ＲＡＩ：Ｒｏｕｔｉｎｇ  Ａｒｅａ  Ｃｏｄｅ）で標識される。
【００２４】
少なくとも１つの第２ネットワーク属性情報は、第２ネットワークＩＤ、第２無線アクセスタイプおよび第２サービス位置エリアを含む。第２ネットワークＩＤは、第２ネットワークのＰＬＭＮ  ＩＤであり、第２無線アクセスタイプは、第２ネットワークのＲＡＴ（Ｒａｄｉｏ  Ａｃｃｅｓｓ  Ｔｅｃｈｎｉｑｕｅ）のタイプであり、第２サービス位置エリアは、第２ネットワークのトラッキングエリアコード（ＴＡＣ：Ｔｒａｃｋｉｎｇ  Ｃｏｄｅ）、位置エリアコード（ＬＡＣ：Ｌｏｃａｔｉｏｎ  Ａｒｅａ  Ｃｏｄｅ）またはルーティングエリアコード（ＲＡＩ：Ｒｏｕｔｉｎｇ  Ａｒｅａ  Ｃｏｄｅ）で標識される。
【００２５】
例えば、複数のネットワークは、ＭＦネットワークとＬＴＥネットワークとを含むが、ＭＦネットワークとＬＴＥネットワークとに限られるものではない。ＭＦネットワークは、ＮＨ方式のＭＦネットワークであってもよく、ＥＰＣ方式のＭＦネットワークであってもよい。複数のネットワークの環境では、ＭＦネットワークの構成情報を取得するとともにＬＴＥネットワークの構成情報を取得する。ＭＦネットワークの構成情報は、ＭＦネットワークのネットワークＩＤ、無線アクセスタイプおよびサービス位置エリアを含む。ＬＴＥネットワークの構成情報は、ＬＴＥネットワークのネットワークＩＤ、無線アクセスタイプおよびサービス位置エリアを含む。
【００２６】
ステップ４２において、構成情報における少なくとも１つの第１ネットワーク属性情報と少なくとも１つの第２ネットワーク属性情報とのうち、異なる値を有する同一タイプの属性情報に基づいて、第１ネットワークと第２ネットワークとを区別する。例えば、ＭＦネットワークの構成情報とＬＴＥネットワークの構成情報とに基づいてＭＦネットワークとＬＴＥネットワークとを区別することができる。
【００２７】
一実施例において、構成情報における少なくとも１つの第１ネットワーク属性情報と少なくとも１つの第２ネットワーク属性情報との同一タイプの属性情報（例えば第１ネットワークＩＤと第２ネットワークＩＤ、または、第１無線アクセスタイプと第２無線アクセスタイプ、または、第１サービス位置エリアと第２サービス位置エリア）のうち、異なる値を有する属性情報に基づいて、従来標準から変更することなく、第１ネットワークと第２ネットワークとを区別する。これにより、コアネットワークは、区別済みのネットワークタイプに基づいて、ＵＥに対するアクセス制限、切り替えおよび／またはＱｏｓ制御、課金制御を行うことが実現できる。
【００２８】
例えば、構成情報における第１ネットワークＩＤおよび第２ネットワークＩＤ、または、第１無線アクセスタイプおよび第２無線アクセスタイプ、または、第１サービス位置エリアおよび第２サービス位置エリアに基づいて第１ネットワークと第２ネットワークとを区別する。第１ネットワークがＭＦネットワークであり、第２ネットワークが従来のＬＴＥネットワークである場合、ＭＦネットワークに対してＬＴＥネットワークと異なるＰＬＭＮ  ＩＤ（ネットワークＩＤ）、ＲＡＴ（無線アクセスタイプ）およびサービス位置エリアなどを配置する方式でＭＦネットワークとＬＴＥネットワークを区別する。
【００２９】
ここで、第１ネットワークは、第２ネットワークと完全に独立されるネットワークであってもよく、第２ネットワークを基に改良したネットワークであってもよい。本発明の実施例において、第１ネットワークと第２ネットワークとは、任意の異なるネットワークであればよい。上記例は、単に説明用のものであり、本発明の実施例におけるネットワークタイプに対する限定を構成しない。
【００３０】
図５に示される本発明の一部の実施例に係るネットワーク区別方法は、下記ステップ５１とステップ５２とを含む。
【００３１】
ステップ５１は、上記ステップ４１と同一に行われる。
【００３２】
ステップ５２において、構成情報において第１ネットワークＩＤと第２ネットワークＩＤとが異なる場合、第１ネットワークＩＤと第２ネットワークＩＤとに基づいて、第１ネットワークと第２ネットワークとを区別する。
【００３３】
実施例において、構成情報において第１ネットワークＩＤと第２ネットワークＩＤとが異なる場合、第１ネットワークの第１無線アクセスタイプと第２ネットワークの第２無線アクセスタイプとが、同一であってもよいし、異なっていてもよく、第１ネットワークの第１サービス位置エリアと第２ネットワークの第２サービス位置エリアとが、同一であってもよいし、異なっていてもよい。
【００３４】
選択的に、第１無線アクセスタイプと第２無線アクセスタイプとが同一であるものの、第１ネットワークＩＤと第２ネットワークＩＤとが異なる場合、第１ネットワークＩＤと第２ネットワークＩＤに基づいて、第１ネットワークと第２ネットワークとを区別する。
【００３５】
ＭＦネットワークを一例とし、ＭＦネットワークとＬＴＥネットワークとが異なるＰＬＭＮに属する場合、ＰＬＭＮ  ＩＤによってＭＦネットワークを標識する。
【００３６】
ＮＨ方式のＭＦネットワークとＬＴＥネットワークとが、コアネットワークで互いに独立するため、ＮＨ方式のＭＦに用いられるＰＬＭＮ  ＩＤは、ＬＴＥネットワークと異なる。
【００３７】
ＥＰＣ方式のＭＦ  ＲＡＮがＬＴＥネットワークに接続され、ＵＥがＭＦ  ＲＡＮと３ＧＰＰ  ＲＡＮとの間でＳ１とＸ２とを切り替えることができるため、ＥＰＣ接続方式のＭＦネットワークとＬＴＥとは、同一のＰＬＭＮを共有することができる。例えば、移動事業者が同一ＰＬＭＮを使用してライセンスバンドとアンライセンスバンドとの両方でネットワーク配置を行い、アンライセンスバンドによって、ライセンスバンドのカバレッジおよび容量の補充を行う。ＥＰＣ接続方式のＭＦネットワークとＬＴＥネットワークとは、異なるＰＬＭＮ  ＩＤを使用すると、ＰＬＭＮ  ＩＤによってＭＦネットワークとＬＴＥネットワークとを区別することができる。
【００３８】
下記の表１に示すように、下記ネットワークのＲＡＴタイプがいずれもＥ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）であり、すなわちＭＦおよびＬＴＥの無線アクセスタイプが同一である。このケースを一例として説明する。
【００３９】
【表１】
2019506099.tif 000003
【００４０】
表１において、ネットワーク４およびネットワーク６は、ＰＬＭＮ  ＩＤが異なるが、両者の無線アクセスタイプが同一である。この場合、ＰＬＭＮ  ＩＤに基づき、ネットワーク４が従来のＬＴＥネットワークであり、ネットワーク６がＥＰＣ接続方式のＭＦネットワークであると区別することができる。
【００４１】
ここで、ネットワーク４，６のサービス位置エリアを限定しなくてもよい。例えば、ネットワーク４のＴＡＣとネットワーク６のＴＡＣとが、同一であってもよいし、異なっていてもよい（表１には、異なる場合の一例が挙げられている。）。
【００４２】
ネットワーク４のＴＡＣとネットワーク６のＴＡＣとが異なる場合、ＰＬＭＮ  ＩＤに基づいてネットワーク４とネットワーク６とを区別してもよく、ＴＡＣに基づいてネットワーク４，６を区別してもよいが、ＰＬＭＮ  ＩＤに基づいてネットワーク４とネットワーク６とを区別することが好ましい。
【００４３】
表１におけるＰＬＭＮ  ＩＤが異なり、無線アクセスタイプが同一である他の２つまたは複数のネットワークを区別する場合、いずれも、上記ネットワーク４とネットワーク６との区別方法を用いて区別することができる。
【００４４】
本実施例において、ＰＬＭＮ  ＩＤが異なるネットワークをＰＬＭＮ  ＩＤで識別することによって、新規のネットワークタイプＩＤを導入することなく、従来標準から変更せずにネットワークを区別する目的を実現することができる。
【００４５】
図６に示される本発明の一部の実施例に係るネットワーク区別方法は、下記ステップ６１とステップ６２とを含む。
【００４６】
ステップ６１は、上記ステップ４１と同一に行われる。
【００４７】
ステップ６２において、構成情報において第１無線アクセスタイプと第２無線アクセスタイプとが異なる場合、第１無線アクセスタイプと第２無線アクセスタイプとに基づいて、第１ネットワークと第２ネットワークとを区別する。
【００４８】
本実施例において、構成情報において第１無線アクセスタイプと第２無線アクセスタイプとが異なる場合、第１ネットワークＩＤと第２ネットワークＩＤとが、同一であってもよいし、異なっていてもよく、第１ネットワークの第１サービス位置エリアと第２ネットワークの第２サービス位置エリアとが、同一であってもよいし、異なっていてもよい。
【００４９】
選択的に、第１ネットワークＩＤと第２ネットワークＩＤとが同一であるものの、第１無線アクセスタイプと第２無線アクセスタイプとが異なる場合、第１無線アクセスタイプと第２無線アクセスタイプとに基づいて、第１ネットワークと第２ネットワークとを区別する。
【００５０】
ＭＦネットワークを一例とし、ＮＨ方式のＭＦネットワークとＬＴＥネットワークとが、コアネットワークにより互いに独立するため、ＮＨ方式のＭＦに用いられるＰＬＭＮ  ＩＤは、ＬＴＥネットワークと異なる。
【００５１】
ＥＰＣ接続方式のＭＦ  ＲＡＮがＬＴＥネットワークに接続され、ＵＥがＭＦ  ＲＡＮと３ＧＰＰ  ＲＡＮとの間でＳ１とＸ２とを切り替えることができるため、ＥＰＣ接続方式のＭＦネットワークとＬＴＥとが、同一ＰＬＭＮを共有することができる。例えば、移動事業者が同一ＰＬＭＮを使用してライセンスバンドとアンライセンスバンドとの両方でネットワーク配置を行い、アンライセンスバンドによって、ライセンスバンドのカバレッジおよび容量の補充を行う。ＥＰＣ接続方式のＭＦネットワークおよびＬＴＥネットワークは異なるＰＬＭＮ  ＩＤを使用すると、表２に示されるように、ＰＬＭＮ  ＩＤによってＭＦネットワークとＬＴＥネットワークとを区別することができる。
【００５２】
【表２】
2019506099.tif 000004
【００５３】
表２においては、ネットワーク１とネットワーク２とのＰＬＭＮ  ＩＤが同一であるものの、両者の無線アクセスタイプが異なる。この場合、無線アクセスタイプに基づき、ネットワーク１が従来のＬＴＥネットワークであり、ネットワーク２がＧＳＭ（登録商標）ネットワークであると区別することができる。
【００５４】
この場合、ネットワーク１，２のサービス位置エリアを限定しなくてもよい。例えば、ネットワーク１のサービス位置エリアとネットワーク２のサービス位置エリアとが、同一であってもよいし、異なっていてもよい（表には、異なる場合の一例が挙げられている。）。
【００５５】
ネットワーク１のサービス位置エリアとネットワーク２のサービス位置エリアとが異なる場合、無線アクセスタイプに基づいてネットワーク１とネットワーク２とを区別してもよく、サービス位置エリアに基づいてネットワーク１，２を区別してもよいが、無線アクセスタイプに基づいてネットワーク１とネットワーク２とを区別することが好ましい。
【００５６】
表２におけるＰＬＭＮ  ＩＤが同一であり、無線アクセスタイプが異なる他の２つまたは複数のネットワークを区別する場合、いずれも、上記ネットワーク１とネットワーク２との区別方法を用いて区別することができる。
【００５７】
本実施例において、ＲＡＴタイプの異なるネットワークをＲＡＴタイプで識別することによって、新規のネットワークタイプＩＤを導入することなく、従来標準から変更せずにネットワークを区別する目的を達成することができる。
【００５８】
図７に示される本発明の一部の実施例に係るネットワーク区別方法は、下記ステップ７１とステップ７２とを含む。
【００５９】
ステップ７１は、上記ステップ４１と同一に行われる。
【００６０】
ステップ７２において、構成情報における第１サービス位置エリアと第２サービス位置エリアとが異なる場合、第１サービス位置エリアと第２サービス位置エリアとに基づいて、第１ネットワークと第２ネットワークとを区別する。
【００６１】
本実施例において、構成情報において第１サービス位置エリアと第２サービス位置エリアとが異なる場合、第１ネットワークＩＤと第２ネットワークＩＤとが、同一であってもよいし、異なっていてもよく、第１ネットワークの第１無線アクセスタイプと第２ネットワークの第２無線アクセスタイプとが、同一であってもよいし、異なっていてもよい。
【００６２】
選択的に、第１ネットワークＩＤと第２ネットワークＩＤとが同一であり、第１無線アクセスタイプと第２無線アクセスタイプとが同一であるものの、第１サービス位置エリアと第２サービス位置エリアとが異なる場合、第１サービス位置エリアと第２サービス位置エリアとに基づいて、第１ネットワークと第２ネットワークとを区別する。
【００６３】
ＭＦネットワークを一例とし、ＮＨ方式のＭＦネットワークとＬＴＥネットワークとが、コアネットワークで互いに独立するため、ＮＨ方式のＭＦに用いられるＰＬＭＮ  ＩＤは、ＬＴＥネットワークと異なる。
【００６４】
ＥＰＣ接続方式のＭＦ  ＲＡＮがＬＴＥネットワークに接続され、ＵＥがＭＦ  ＲＡＮと３ＧＰＰ  ＲＡＮとの間でＳ１とＸ２とを切り替えることができるため、ＥＰＣ接続方式のＭＦネットワークとＬＴＥとが同一ＰＬＭＮを共有することができる。例えば、移動事業者が同一ＰＬＭＮを使用してライセンスバンドとアンライセンスバンドとの両方でネットワーク配置を行い、アンライセンスバンドによって、ライセンスバンドのカバレッジおよび容量の補充を行う。ＥＰＣ接続方式のＭＦネットワークとＬＴＥネットワークとは、異なるＰＬＭＮ  ＩＤを使用すると、表３に示されるように、ＰＬＭＮ  ＩＤによってＭＦネットワークとＬＴＥネットワークとを区別することができる。
【００６５】
【表３】
2019506099.tif 000005
【００６６】
表３において、ネットワーク１およびネットワーク３は、ＰＬＭＮ  ＩＤが同一であり、無線アクセスタイプが同一である。この場合、サービス位置エリアに基づき、ネットワーク１が従来のＬＴＥネットワークであり、ネットワーク３がＥＰＣ接続方式のＭＦネットワークであると区別することができる。
【００６７】
表３に示される他のＰＬＭＮ  ＩＤが同一であり、無線アクセスタイプが同一である他の２つまたは複数のネットワークを区別する場合、いずれも、上記ネットワーク１とネットワーク３との区別方法を用いて区別することができる。
【００６８】
本実施例において、ＰＬＭＮ  ＩＤ、ＲＡＴタイプが同一であるネットワークをサービス位置エリアで識別し、同一ＰＬＭＮ  ＩＤを共有して同一ＲＡＴを使用する２つまたは複数の無線技術に対し異なるサービス位置エリアを配置することによって、新規のネットワークタイプＩＤを導入することなく、従来標準から変更せずにネットワークを区別する目的を達成することができる。
【００６９】
図８に示される本発明の一部の実施例に係るネットワーク区別方法は、下記ステップ８１〜ステップ８３を含む。
【００７０】
ステップ８１は、上記一実施例のステップ４１と同一に行われる。
【００７１】
ステップ８２は、上記一実施例のステップ４２と同一に行われる。
【００７２】
ステップ８３において、ユーザ機器から第１ネットワークまたは第２ネットワークへのアクセスが許可される、および第１ネットワーク属性情報と第２ネットワーク属性情報とに基づいて、ユーザ機器のユーザサーバ記憶情報を設置する。ここで、ユーザサーバ記憶情報は、ユーザ機器のアクセスが許可されるネットワークのネットワークＩＤリスト、ユーザ機器のアクセスが制限される無線アクセスタイプリスト（Ａｃｃｅｓｓ  Ｒｅｓｔｒｉｃｔｉｏｎ）およびユーザ機器のアクセスが制限されるサービス位置エリアリスト（Ｒｅｇｉｏｎａｌｌｙ  Ｒｅｓｔｒｉｃｔｅｄ  Ｓｅｒｖｉｃｅ）を含む。ここで、ユーザ機器のアクセスが許可されるネットワークのネットワークＩＤリストは、ユーザ機器の登録情報のうちのホームネットワーク（ＨＰＬＭＮ：Ｈｏｍｅ  ＰＬＭＮ）と同等のネットワークのネットワークＩＤリスト（ＥＰＬＭＮ）を含む。
【００７３】
第１ネットワークＩＤと第２ネットワークＩＤとが同一であり、第１ネットワークのタイプと第２ネットワークのタイプとが同一である場合、ユーザ機器から第１ネットワークまたは第２ネットワークへのアクセスが許可されなければ、第１ネットワークＩＤまたは第２ネットワークＩＤを含むようにユーザ機器のアクセスが許可されるネットワークのネットワークＩＤリストを設置し、第１ネットワークのタイプまたは第２ネットワークのタイプを含まないようにユーザ機器のアクセスが制限される無線アクセスタイプリストを設置し、第１サービス位置エリアまたは第２サービス位置エリアを含むようにユーザ機器のアクセスが制限されるサービス位置エリアリストを設置する。
【００７４】
上記表１を一例とし、ＵＥ登録情報におけるＨＰＬＭＮのＥＰＬＭＮ、Ａｃｃｅｓｓ  ＲｅｓｔｒｉｃｔｉｏｎおよびＲｅｇｉｏｎａｌｌｙ  Ｒｅｓｔｒｉｃｔｅｄ  Ｓｅｒｖｉｃｅによって、ＵＥから表の中の任意のネットワークへのアクセスを制限することができる。
【００７５】
ＵＥからネットワーク６またはネットワーク７へのアクセスが制限される場合、いずれもＥ−ＵＴＲＡＮアクセス技術であり、ＰＬＭＮ  ＩＤが他のネットワークと異なるので、Ｅ−ＵＴＲＡＮ  ｎｏｔ  ａｌｌｏｗｅｄ（Ｅ−ＵＴＲＡＮを許可しない）を含まないようにＡｃｃｅｓｓ  Ｒｅｓｔｒｉｃｔｉｏｎを設置するが、ネットワーク６またはネットワーク７のＰＬＭＮ  ＩＤを含まないようにＥＰＬＭＮを設置する。
【００７６】
ＵＥからネットワーク１、ネットワーク２またはネットワーク３へのアクセスが制限される場合、同一ＰＬＭＮ  ＩＤを共有しＥ−ＵＴＲＡＮアクセス技術が用いられるため、ユーザ機器のアクセスを制限するサービス位置エリアリストを設置することによって３種類のネットワークへのアクセスを制限する必要があり、ＵＥのＨＰＬＭＮのＥＰＬＭＮにＰＬＭＮ１を含むように設置し、ユーザ機器のアクセスを制限する無線アクセスタイプリストにＥ−ＵＴＲＡＮ  ｎｏｔ  ａｌｌｏｗｅｄを含まないように設置する。
【００７７】
ネットワーク１へのアクセスが制限される場合、ネットワーク１に対応するＴＡＣを含むように、ユーザ機器のアクセスを制限するサービス位置エリアリストを設置する。
【００７８】
ネットワーク２へのアクセスが制限される場合、ネットワーク２に対応するＴＡＣを含むように、ユーザ機器のアクセスを制限するサービス位置エリアリストを設置する。
【００７９】
ネットワーク３へのアクセスが制限される場合、ネットワーク３に対応するＴＡＣを含むように、ユーザ機器のアクセスを制限するサービス位置エリアリストを設置する。
【００８０】
さらに、本実施例は、ステップ８４とステップ８５とをさらに含んでいてもよい。
【００８１】
ステップ８４において、ユーザ機器のユーザサーバ記憶情報を取得する。
ステップ８５において、区別された第１ネットワークまたは第２ネットワークへユーザ機器がアクセスしようとする場合、ユーザサーバ記憶情報に基づいて、アイドル状態（Ｉｄｌｅ）のＵＥが第１ネットワークまたは第２ネットワークにアクセスするように制御する。
【００８２】
具体的に、上記ステップ８５は、下記ステップ８５１のように実現される。
ステップ８５１において、第１ネットワークＩＤまたは第２ネットワークＩＤがユーザ機器のアクセスが許可されるネットワークのネットワークＩＤリストに含まれ、かつ第１無線アクセスタイプまたは第２無線アクセスタイプがユーザ機器のアクセスが制限される無線アクセスタイプリストに含まれない場合、アイドル状態のユーザ機器から第１ネットワークまたは第２ネットワークへのアクセスを許可する。第１ネットワークＩＤと第２ネットワークＩＤとが異なる、または、第１無線アクセスタイプと第２無線アクセスタイプとが異なる。
【００８３】
上記ステップ８５は、下記ステップ８５２のように実現されてもよい
ステップ８５２において、第１ネットワークＩＤまたは第２ネットワークＩＤがユーザ機器のアクセスが許可されるネットワークのネットワークＩＤリストに含まれる、かつ第１無線アクセスタイプまたは第２無線アクセスタイプがユーザ機器のアクセスが制限される無線アクセスタイプリストに含まれず、かつ第１サービス位置エリアまたは第２サービス位置エリアがユーザ機器のアクセスが制限されるサービス位置エリアリストに含まれないのであれば、アイドル状態のユーザ機器から第１ネットワークまたは第２ネットワークへのアクセスを許可し、そうでなければ、アイドル状態のユーザ機器から第１ネットワークまたは第２ネットワークへのアクセスを許可しない。
ここで、第１ネットワークＩＤと第２ネットワークＩＤとが異なる、または、第１無線アクセスタイプと第２無線アクセスタイプとが異なる、または、第１サービス位置エリアと第２サービス位置エリアとが異なる。
【００８４】
ステップ８５２とステップ８５１との相違点として、ステップ８５１においてＰＬＭＮ  ＩＤと無線アクセスタイプが考慮されているが、ステップ８５２においてサービス位置エリアも同時に考慮されている。
【００８５】
図９に示されるように、ＵＥがＰＬＭＮを選択してアクセスすると、基地局（ｅＮＢ）は、初期ＵＥメッセージによって、ＵＥのアクセスセルのＴＡＩ（Ｔｒａｃｋｉｎｇ  Ａｒｅａ  Ｉｄｅｎｔｉｔｙ）をＭＭＥ（Ｍｏｂｉｌｅ  Ｍａｎａｇｅｎｍｅｎｔ  Ｅｎｔｉｔｙ）にレポートし、ＵＥに選択されたＰＬＭＮとセルのＴＡＣとが含まれる。
ＭＭＥは、基地局から送信される初期ＵＥメッセージを受信すると、ＵＥに選択されたＰＬＭＮ、セルのＴＡＣ、およびＨＳＳから取得した登録情報におけるユーザ機器のアクセスを制限するサービス位置エリアリストパラメータから、ＵＥのアクセスを許可するかを判断することができる。
【００８６】
ＵＥに選択されたＰＬＭＮがＨＰＬＭＮのＥＰＬＭＮに属し、しかもＵＥに使用されるアクセス技術がユーザ機器のアクセスを制限する無線アクセスタイプリストに設置されず、しかもＴＡＩがエリア制限パラメータに含まれているＴＡＩに属しないと、ＵＥのアクセスを許可し、アタッチ、ＴＡＵ（Ｔｒａｃｋｉｎｇ  Ａｒｅａ  Ｕｐｄａｔｅ）またはサービス要求フローを行い続ける。そうでなければ、ＵＥのアクセスを許可せず、アタッチ拒否、トラッキングエリア更新拒否またはサービス要求拒否メッセージをＵＥに送信する。
【００８７】
本実施例の方法を使用すれば、アイドル状態のＵＥからネットワークへのアクセスを制限することができ、ＨＳＳに記憶されたＵＥ登録情報におけるＵＥのアクセスを許可するＰＬＭＮ  ＩＤ、ＵＥのアクセスを制限するＲＡＴタイプおよびＵＥのアクセスを制限するサービス位置エリアの三者によって、アイドル状態のＵＥがネットワークにアクセスすることを制限し、新規のネットワークタイプＩＤを導入することなく、従来標準から変更せずにネットワークを区別し、ＵＥからネットワークへのアクセスを制限する目的を達成することができる。
【００８８】
図１０に示される本発明の一部の実施例に係るネットワーク区別方法は、下記ステップ１０１〜ステップ１０６を含む。
【００８９】
ステップ１０１は、上記一実施例のステップ４１と同一に行われる。
【００９０】
ステップ１０２は、上記一実施例のステップ４２と同一に行われる。
【００９１】
ステップ１０３は、上記一実施例のステップ８３と同一に行われる（すなわち、ユーザ機器から第１ネットワークまたは第２ネットワークへのアクセスが許可される、および第１ネットワーク属性情報と第２ネットワーク属性情報とに基づいて、ユーザ機器のユーザサーバ記憶情報を設置する）。
【００９２】
ステップ１０４は、上記一実施例のステップ８４と同一に行われる（ユーザサーバ記憶情報を取得する）。
【００９３】
ステップ１０５において、ユーザサーバ記憶情報に基づいて、ユーザ機器に関するネットワーク間での切替制限リストを生成して取得する。切替制限リストは、ユーザ機器の切り替えが許可される目標ネットワークのネットワークＩＤリスト、ユーザ機器の切り替えが制限される目標ネットワークの無線アクセスタイプリスト、およびユーザ機器の切り替えが制限される目標ネットワークのサービス位置エリアリストを含む。ユーザ機器の切り替えが許可される目標ネットワークのネットワークＩＤリストは、ユーザ機器の登録情報におけるホームネットワーク（ＨＰＬＭＮ）と同等のネットワークのネットワークＩＤリスト（ＥＰＬＭＮ）を含む。
【００９４】
ステップ１０６において、切替制限リストに基づいて、接続状態（ＣＯＮＮＥＣＴＥＤ）のユーザ機器が第１ネットワークまたは第２ネットワークに切り替えるように制御する。
【００９５】
具体的に、ステップ１０６は、下記ステップ１０６１のように実現される。
ステップ１０６１において、第１ネットワークＩＤまたは第２ネットワークＩＤがユーザ機器の切り替えが許可される目標ネットワークのネットワークＩＤリストに含まれる、かつ第１無線アクセスタイプまたは第２無線アクセスタイプがユーザ機器のアクセスが制限される無線アクセスタイプリストに含まれず、かつ第１サービス位置エリアまたは第２サービス位置エリアがユーザ機器の切り替えが制限される目標ネットワークのサービス位置エリアリストに含まれないのであれば、接続状態のユーザ機器が第１ネットワークまたは第２ネットワークに切り替えることを許可し、そうでなければ、接続状態のユーザ機器が第１ネットワークまたは第２ネットワークに切り替えることを許可しない。
【００９６】
ここで、第１ネットワークＩＤと第２ネットワークＩＤとが異なる、または、第１無線アクセスタイプと第２無線アクセスタイプとが異なる、または、第１サービス位置エリアと第２サービス位置エリアとが異なる。
【００９７】
ＬＴＥを一例とし、切替制限リストにおけるＥＰＬＭＮリスト、Ｆｏｒｂｉｄｄｅｎ  ｉｎｔｅｒ  ＲＡＴｓおよびＦｏｒｂｉｄｄｅｎ  ＴＡｓは、ＭＭＥがそれぞれＨＳＳ（Ｈｏｍｅ  Ｓｕｂｓｃｒｉｂｅｒ  Ｓｅｒｖｅｒ）で取得されたＵＥ登録情報におけるＥＰＬＭＮリスト、Ａｃｃｅｓｓ  Ｒｅｓｔｒｉｃｔｉｏｎ（無線アクセスタイプ制限リスト）およびＲｅｇｉｏｎａｌｌｙ  Ｒｅｓｔｒｉｃｔｅｄ  Ｓｅｒｖｉｃｅ（サービス位置エリアリスト）に基づいて生成されるものである。基地局は、ＭＭＥからコンテキスト作成メッセージ要求で送信され、または前の基地局から切替要求で送信される切替制限リスト（Ｈａｎｄｏｖｅｒ  Ｒｅｓｔｒｉｃｔｉｏｎ  Ｌｉｓｔ）によって、ＵＥの切り替えを許可する目標ネットワークおよびＵＥの切り替えを許可しない目標ネットワークを取得する。
【００９８】
切替制限リストは、ＭＭＥがＨＳＳに記憶される現在のＵＥの登録情報におけるＰＬＭＮのＥＰＬＭＮリスト、サービス位置エリア制限および無線アクセスタイプ制限に基づいて生成され、以下の内容を含む。
【００９９】
【表４】
2019506099.tif 000006
【０１００】
ここで、Ｓｅｒｖｉｎｇ  ＰＬＭＮは、現在のＵＥのサービングＰＬＭＮである。Ｅｑｕｉｖａｌｅｎｔ  ＰＬＭＮｓは、現在の登録ＰＬＭＮのＥＰＬＭＮリストであり、ＵＥのローミングを許可する目標ＰＬＭＮを示す。ＵＥからＳｅｒｖｉｎｇ  ＰＬＭＮとＥｑｕｉｖａｌｅｎｔ  ＰＬＭＮｓ以外のＰＬＭＮへのアクセスが許可されない。Ｆｏｒｂｉｄｄｅｎ  ＴＡｓは、ＵＥから指定ＥＰＬＭＮへのアクセスを制限するＥ−ＵＴＲＡＮ領域を規定する。Ｆｏｒｂｉｄｄｅｎ  ＬＡｓは、ＵＥから指定ＥＰＬＭＮへのアクセスを制限するＧＥＡＲＡＮまたはＵＴＲＡＮ領域を規定する。Ｆｏｒｂｉｄｄｅｎ  ｉｎｔｅｒ  ＲＡＴｓは、ＵＥのアクセスを許可しない３ＧＰＰとｎｏｎ−３ＧＰＰアクセス技術を規定する。
【０１０１】
現在、基地局は、切替制限リストにおけるＥＰＬＭＮリストとＦｏｒｂｉｄｄｅｎ  ｉｎｔｅｒ  ＲＡＴｓパラメータを用いてＵＥの目標ネットワークを選択する。ＵＥの目標ネットワークがＥＰＬＭＮリストに属し、かつＦｏｒｂｉｄｄｅｎ  ｉｎｔｅｒ  ＲＡＴｓの中のアクセス制限技術に属さない場合、基地局は、ＵＥが目標ネットワークに切り替えられると判断する。基地局は、Ｆｏｒｂｉｄｄｅｎ  ＴＡｓを用いてＵＥの切り替えの位置エリアを制限する。ＵＥは、ＥＰＬＭＮでのＦｏｒｂｉｄｄｅｎ  ＴＡｓで設定される位置エリアに切り替えることができない。
【０１０２】
本発明の実施例に係る方法において、切替制限リストにおけるＥＰＬＭＮ、Ｆｏｒｂｉｄｄｅｎ  ｉｎｔｅｒ  ＲＡＴｓおよびＦｏｒｂｉｄｄｅｎ  ＴＡｓの三者によって、ＵＥの切替先の目標ネットワークを制限する。すなわち、ＥＰＬＭＮとＦｏｒｂｉｄｄｅｎ  ｉｎｔｅｒ  ＲＡＴｓによって、ＰＬＭＮ  ＩＤまたはＲＡＴタイプが異なる目標ネットワークを制限し、Ｆｏｒｂｉｄｄｅｎ  ＴＡｓによって、ＰＬＭＮ  ＩＤとＲＡＴタイプが同一である目標ネットワークを制限する。ここで、Ｆｏｒｂｉｄｄｅｎ  ＴＡｓパラメータで設定される位置エリアは、ＵＥの切り替えを制限する目標ネットワークに対応する位置エリアである。
【０１０３】
切り替える際に、基地局がＵＥから受信した測定結果レポートには、隣接セルのネットワークＩＤ、無線アクセスタイプおよびサービス位置エリアを含む。隣接セルのネットワークＩＤがＵＥの現在のサービングネットワークまたはＵＥの切り替えが許可されるネットワークであり、隣接セルの無線アクセスタイプがＵＥのアクセスを制限するＲＡＴタイプに属さず、しかも隣接セルのサービス位置エリアがＵＥのアクセスを制限する位置エリアに属さない場合、基地局は、隣接セルを、ＵＥの切り替えが許可される目標ネットワークとして判断してＵＥの切替候補セルとする。
【０１０４】
選択的に、上記ステップ１０６の後に、ユーザ機器が第１ネットワークまたは第２ネットワークに切り替えることが許可される場合、第１ネットワークと第２ネットワークとの切替優先度に基づいて、接続状態のユーザ機器を優先度の高いネットワークに切り替える。
【０１０５】
図１１に示されるように、基地局は、ネットワークのＩＤ、無線アクセスタイプおよびサービス位置エリアなどの構成情報を取得し、ネットワーク別に異なる切替優先度を設定する。
【０１０６】
基地局は、ＵＥの測定結果レポートを受信すると、含まれている隣接セルのネットワークＩＤ、無線アクセスタイプおよびサービス位置エリアに基づいて、隣接セルの所属ネットワークを判断する。
【０１０７】
ＵＥの複数の候補セルが複数の目標ネットワークに属する場合、基地局は、優先度が最も高い目標ネットワークを選択して切り替えを行う。
【０１０８】
例えば、基地局は、上記表１のようなネットワーク構成情報をネットワーク操作・保守センサーから取得する。基地局は、ＵＥからレポートされる計２つのセルの測定結果を受信する。一方のセルＡの測定結果は、セルＡのネットワークＩＤがＰＬＭＮ  １であり、位置エリアがＴＡ１であると指示し、他方のセルＢの測定結果は、セルＢのネットワークＩＤがＰＬＭＮ  １であり、位置エリアがＴＡ６であると指示する。基地局は、表を検索することによってセルＡがＬＴＥセルであり、セルＢがＭＦセルであることを取得する。ＭＦネットワークの切替優先度がＬＴＥセルより高ければ、基地局は、セルＢを切り替え目標セルとする。
【０１０９】
本実施例は、ＣＯＮＮＥＣＴＥＤ状態のＵＥの切り替え目標ネットワークを制限する。具体的に、基地局は、切替制限リストにおけるＵＥの切り替えが許可されるＰＬＭＮ、ＵＥの切り替えが制限されるＲＡＴタイプおよびＵＥのアクセスが制限される位置エリアの三者によって、ＣＯＮＮＥＣＴＥＤ状態のＵＥの切り替え目標ネットワークを制限する。よって、新規のネットワークタイプＩＤを導入することなく、従来標準から変更せずに、ＵＥが目標ネットワークに切り替えるように制御することができる。
【０１１０】
図１２に示される本発明の一部の実施例に係るネットワーク区別方法は、下記ステップ１２１〜ステップ１２２を含む。
【０１１１】
ステップ１２１は、上記一実施例のステップ４１と同一に行われる。
【０１１２】
ステップ１２２は、上記一実施例のステップ４２と同一に行われる。
【０１１３】
上記実施例に基づいてユーザ機器から第１ネットワークまたは第２ネットワークへのアクセスを許可した後に、または、上記実施例に基づいてユーザ機器が第１ネットワークまたは第２ネットワークに切り替えることを許可した後に、さらにステップ１２３〜ステップ１２４を含んでもよい。
【０１１４】
ステップ１２３において、ユーザ機器の現在の位置情報に基づいて、ユーザ機器のアクセス中または切替先である第１ネットワークまたは第２ネットワークを確定する。
【０１１５】
ステップ１２４において、ユーザ機器のアクセス中の第１ネットワークまたは第２ネットワークに対応するＱｏｓポリシーに基づいてユーザ機器に対しＱｏｓ制御を行い、および／または、ユーザ機器のアクセス中の第１ネットワークまたは第２ネットワークに対応する課金ポリシーに基づいてユーザ機器に対し課金制御を行う。
【０１１６】
本実施例において、ＬＴＥネットワークを一例とし、ＭＭＥは、ネットワークＩＤ、無線アクセスタイプおよびサービス位置エリアなどの構成情報を取得し、ｅＮＢからレポートされる初期ＵＥメッセージと結び付けて、ＵＥの使用中のネットワークのタイプを判断することができる。
【０１１７】
図１３に示されるように、ＭＭＥは、アクセス許可かつＵＥの使用中のネットワークのタイプが今までとは異なると判断すると、ＳＧＷ（Ｓｉｇｎａｌｉｎｇ  ＧａｔｅＷａｙ）にＵＥの位置情報を送信する。ＳＧＷは、ＵＥの位置情報を受信してＰＧＷ（Ｐａｃｋｅｔ  Ｇａｔｅｗａｙ）に転送する。ＰＧＷは、ＵＥに対し異なるＱｏｓポリシーまたは課金を実施する。
【０１１８】
例示すると、ＵＥがＰＬＭＮを選択してアクセスすると、基地局は、ＵＥに選択されたＰＬＭＮとＴＡＣとが含まれる初期ＵＥメッセージによって、ＵＥのアクセスしたセルのトラッキングエリアＩＤ（ＴＡＩ：Ｔｒａｃｋｉｎｇ  Ａｒｅａ  Ｉｄｅｎｔｉｔｙ）をＭＭＥにレポートする。上記ＴＡＣは、ＰＬＭＮでの唯一のトラッキングエリアを標識する。ＭＭＥは、基地局から送信される初期ＵＥメッセージを受信すると、ＰＬＭＮとＴＡＣによって、ＵＥに使用されるネットワークタイプがＭＦであるか従来のＬＴＥネットワークであるかを判断することができる。
【０１１９】
ＵＥのアタッチプロセス中に、基地局からレポートされるＵＥのアクセスしたＴＡＩから、ＭＭＥは、ＵＥの位置に変化があった（例えば、ＵＥがＭＦネットワークからＬＴＥネットワークに移動し、またはＬＴＥネットワークからＭＦネットワークに移動した。）と判断すると、Ｕｓｅｒ  Ｌｏｃａｔｉｏｎ  Ｉｎｆｏｒｍａｔｉｏｎ（ユーザ位置情報）を含むＣｒｅａｔｅ  Ｓｅｓｓｉｏｎ  Ｒｅｑｕｅｓｔ（作成セッション要求）メッセージをＳＧＷに送信する。ユーザ位置情報におけるＴＡＩによってＵＥの位置を指示し、ＵＥの使用中のネットワークをＳＧＷに知らせる。ＳＧＷは、ユーザ位置情報を含む作成セッション要求メッセージをＰＧＷに送信する。ＰＧＷは、ＴＡＩからＵＥの使用中のネットワークを取得する。ＰＧＷは、ＵＥの使用中のネットワークに基づいて、今までのネットワークとは異なる課金とＱｏＳポリシーを実施することができる。
【０１２０】
ＵＥのトラッキングエリア更新プロセスまたはサービス要求プロセス中に、基地局からレポートされるＵＥのアクセスしたＴＡＩから、ＭＭＥは、ＵＥの位置に変化があった（例えば、ＭＦネットワークからＬＴＥネットワークに移動し、またはＬＴＥネットワークからＭＦネットワークに移動した。）と判断すると、ユーザ位置情報を含むＭｏｄｉｆｙ  Ｂｅａｒ  Ｒｅｑｕｅｓｔ（修正ベアラ要求）メッセージをＳＧＷに送信する。ユーザ位置情報におけるＴＡＩによってＵＥの位置を指示し、ＵＥの使用中のネットワークをＳＧＷに知らせる。ＳＧＷは、ユーザ位置情報を含む修正ベアラ要求メッセージをＰＧＷに送信する。ＰＧＷは、ＴＡＩからＵＥの使用中のネットワークを取得する。ＰＧＷは、ＵＥの使用中のネットワークに基づいて、ＵＥに対して今までのネットワークと異なる課金とＱｏＳポリシーとを実施することができる。
【０１２１】
本実施例の方法において、新規のネットワークタイプＩＤを導入することなく、ＵＥが異なるネットワーク間で切り替え、または、確定済みネットワークにアクセスする際に、コアネットワークが異なるＱｏＳまたは課金ポリシーを実行することができる目的を達成することができる。
【０１２２】
本発明の上記実施例のＵＥは、移動電話機（または携帯電話）、またはそれ以外の無線信号の送受信が可能な機器であり、ユーザ機器（端末）、パーソナルデジタルアシスタント（ＰＤＡ）、無線モデム、無線通信装置、ハンドヘルドデバイス、ラップトップコンピュータ、コードレス電話、無線ローカルループ（ＷＬＬ）局、移動信号をｗｉｆｉ信号に変換可能なＣＰＥまたはＭｉｆｉ、スマート家電、またはそれ以外の人の操作によらずに自発的に移動通信ネットワークと通信可能な機器などが含まれる。
【０１２３】
基地局は、形態が限定されず、マクロ基地局（Ｍａｃｒｏ  Ｂａｓｅ  Ｓｔａｔｉｏｎ）、ピコ基地局（Ｐｉｃｏ  Ｂａｓｅ  Ｓｔａｔｉｏｎ）、Ｎｏｄｅ  Ｂ、ＥＮＢ、家庭強化型基地局（ＦｅｍｔｏｅＮＢまたはＨｏｍｅ  ｅＮｏｄｅ  ＢまたはＨｏｍｅ  ｅＮＢまたはＨｅＮＢ）、中継局、アクセスポイント、ＲＲＵ、ＲＲＨなどである。
【０１２４】
本発明の上記方法の実施例によれば、ＰＬＭＮ  ＩＤ、ＲＡＴタイプおよび位置エリアの三者によって移動ネットワークタイプを指示し、新規のネットワークタイプを導入して指示することを回避する。さらに、新規のネットワークタイプＩＤを導入することなく、アイドル状態でネットワークへのアクセスを制限し、接続状態のＵＥが目標ネットワークに切り替えるように制御する目的を達成することができる。さらに、新規のネットワークタイプＩＤを導入することなく、ＵＥが異なるネットワーク間で切り替える際にコアネットワークが異なるＱｏｓまたは課金ポリシーを実施する目的を達成することができる。
【０１２５】
図１４に示されるように、本発明の一部の実施例に係るネットワーク区別装置１４０は、取得モジュール１４１と、区別モジュール１４２とを備える。取得モジュール１４１は、複数のネットワークの構成情報を取得することに用いられる。ここで、構成情報は、第１ネットワークの少なくとも１つの第１ネットワーク属性情報と、第２ネットワークの少なくとも１つの第２ネットワーク属性情報とを含む。
【０１２６】
区別モジュール１４２は、構成情報における少なくとも１つの第１ネットワーク属性情報と、少なくとも１つの第２ネットワーク属性情報とのうち、異なる値を有する同一タイプの属性情報に基づいて、第１ネットワークと第２ネットワークとを区別することに用いられる。少なくとも１つの第１ネットワーク属性情報は、第１ネットワークＩＤ、第１無線アクセスタイプおよび第１サービス位置エリアを含み、少なくとも１つの第２ネットワーク属性情報は、第２ネットワークＩＤ、第２無線アクセスタイプおよび第２サービス位置エリアを含む。
【０１２７】
ここで、区別モジュール１４２は、第１区別モジュールまたは第２区別モジュールまたは第３区別モジュールを含む。第１区別モジュールは、構成情報における第１ネットワークＩＤと第２ネットワークＩＤとが異なる場合、第１ネットワークＩＤと第２ネットワークＩＤとに基づいて、第１ネットワークと第２ネットワークとを区別することに用いられる。選択的に、第１無線アクセスタイプと第２無線アクセスタイプとが同一であるものの、第１ネットワークＩＤと第２ネットワークＩＤとが異なる場合、第１ネットワークＩＤと第２ネットワークＩＤに基づいて、第１ネットワークと第２ネットワークを区別する。第２区別モジュールは、構成情報における第１無線アクセスタイプと第２無線アクセスタイプとが異なる場合、第１無線アクセスタイプと第２無線アクセスタイプとに基づいて、第１ネットワークと第２ネットワークとを区別することに用いられる。第１ネットワークＩＤと第２ネットワークＩＤとが同一であるものの、第１無線アクセスタイプと第２無線アクセスタイプとが異なる場合、第１無線アクセスタイプと第２無線アクセスタイプとに基づいて、第１ネットワークと第２ネットワークとを区別する。第３区別モジュールは、構成情報における第１サービス位置エリアと第２サービス位置エリアとが異なる場合、第１サービス位置エリアと第２サービス位置エリアとに基づいて、第１ネットワークと第２ネットワークとを区別することに用いられる。選択的に、第１ネットワークＩＤと第２ネットワークＩＤとが同一であり、第１無線アクセスタイプと第２無線アクセスタイプとが同一であるものの、第１サービス位置エリアと第２サービス位置エリアとが異なる場合、第１サービス位置エリアと第２サービス位置エリアとに基づいて、第１ネットワークと第２ネットワークとを区別する。
【０１２８】
さらに、上記装置は、第１ネットワークと第２ネットワークとを区別した後に、ユーザ機器から第１ネットワークまたは第２ネットワークへのアクセスが許可される、および第１ネットワーク属性情報と第２ネットワーク属性情報とに基づいて、ユーザ機器のユーザサーバ記憶情報を設置することに用いられる第１制御モジュールをさらに備えていてもよい。ユーザサーバ記憶情報は、ユーザ機器のアクセスが許可されるネットワークのネットワークＩＤリスト、ユーザ機器のアクセスが制限される無線アクセスタイプリスト、およびユーザ機器のアクセスが制限されるサービス位置エリアリストを含む。ユーザ機器のアクセスが許可されるネットワークのネットワークＩＤリストは、ユーザ機器の登録情報におけるホームネットワークと同等のネットワークのネットワークＩＤリストを含む。
【０１２９】
さらに、第１ネットワークＩＤと第２ネットワークＩＤとが同一であり、しかも第１ネットワークのタイプと第２ネットワークのタイプとが同一である場合、ユーザ機器から第１ネットワークまたは第２ネットワークへのアクセスが許可されなければ、第１ネットワークＩＤまたは第２ネットワークＩＤを含むようにユーザ機器のアクセスが許可されるネットワークのネットワークＩＤリストを設置し、第１ネットワークのタイプまたは第２ネットワークのタイプを含まないようにユーザ機器のアクセスが制限される無線アクセスタイプリストを設置し、第１サービス位置エリアまたは第２サービス位置エリアを含むようにユーザ機器のアクセスが制限されるサービス位置エリアリストを設置する。
【０１３０】
さらに、ユーザ機器のユーザサーバ記憶情報を設置した後に、ユーザ機器のユーザサーバ記憶情報を取得することと、区別された第１ネットワークまたは第２ネットワークへユーザ機器がアクセスしようとする場合、ユーザサーバ記憶情報に基づいて、アイドル状態のユーザ機器が第１ネットワークまたは第２ネットワークにアクセスするように制御することに用いられる。
【０１３１】
選択的に、第１ネットワークＩＤまたは第２ネットワークＩＤがユーザ機器のアクセスが許可されるネットワークのネットワークＩＤリストに含まれる、かつ第１無線アクセスタイプまたは第２無線アクセスタイプがユーザ機器のアクセスが制限される無線アクセスタイプリストに含まれない場合、アイドル状態のユーザ機器から第１ネットワークまたは第２ネットワークへのアクセスを許可する。ここで、第１ネットワークＩＤと第２ネットワークＩＤとが異なる、または、第１無線アクセスタイプと第２無線アクセスタイプとが異なる。
【０１３２】
選択的に、第１ネットワークＩＤまたは第２ネットワークＩＤがユーザ機器のアクセスが許可されるネットワークのネットワークＩＤリストに含まれる、かつ第１無線アクセスタイプまたは第２無線アクセスタイプがユーザ機器のアクセスが制限される無線アクセスタイプリストに含まれず、かつ第１サービス位置エリアまたは第２サービス位置エリアがユーザ機器のアクセスが制限されるサービス位置エリアリストに含まれないのであれば、アイドル状態のユーザ機器から第１ネットワークまたは第２ネットワークへのアクセスを許可し、そうでなければ、アイドル状態のユーザ機器から第１ネットワークまたは第２ネットワークへのアクセスを許可しない。ここで、第１ネットワークＩＤと第２ネットワークＩＤとが異なる、または、第１無線アクセスタイプと第２無線アクセスタイプとが異なる、または、第１サービス位置エリアと第２サービス位置エリアとが異なる。
【０１３３】
さらに、上記装置は、ユーザ機器のユーザサーバ記憶情報を取得した後に、ユーザサーバ記憶情報に基づいて、ユーザ機器に関するネットワーク間での切替制限リストを生成して取得することと、切替制限リストに基づいて、接続状態のユーザ機器が第１ネットワークまたは第２ネットワークに切り替えるように制御することに用いられる第２制御モジュールをさらに含んでいてもよい。切替制限リストは、ユーザ機器の切り替えが許可される目標ネットワークのネットワークＩＤリスト、ユーザ機器の切り替えが制限される目標ネットワークの無線アクセスタイプリスト、およびユーザ機器の切り替えが制限される目標ネットワークのサービス位置エリアリストを含む。ここで、ユーザ機器の切り替えが許可される目標ネットワークのネットワークＩＤリストは、ユーザ機器の登録情報におけるホームネットワークと同等のネットワークのネットワークＩＤリストを含む。
【０１３４】
選択的に、第１ネットワークＩＤまたは第２ネットワークＩＤがユーザ機器の切り替えが許可される目標ネットワークのネットワークＩＤリストに含まれる、かつ第１無線アクセスタイプまたは第２無線アクセスタイプがユーザ機器のアクセスが制限される無線アクセスタイプリストに含まれず、かつ第１サービス位置エリアまたは第２サービス位置エリアがユーザ機器の切り替えが制限される目標ネットワークのサービス位置エリアリストに含まれないのであれば、接続状態のユーザ機器が第１ネットワークまたは第２ネットワークに切り替えることを許可する。そうでなければ、接続状態のユーザ機器が第１ネットワークまたは第２ネットワークに切り替えることを許可しない。ここで、第１ネットワークＩＤと第２ネットワークＩＤとが異なる、または、第１無線アクセスタイプと第２無線アクセスタイプとが異なる、または、第１サービス位置エリアと第２サービス位置エリアとが異なる。
【０１３５】
さらに、ユーザ機器が第１ネットワークまたは第２ネットワークに切り替えることを許可する場合、第１ネットワークおよび第２ネットワークの切替優先度に基づいて、接続状態のユーザ機器を優先度の高いネットワークに切り替える。
【０１３６】
さらに、上記装置は、ユーザ機器が第１ネットワークまたは第２ネットワークにアクセスまたは切り替えることを許可した後に、ユーザ機器の現在の位置情報に基づいて、ユーザ機器のアクセス中または切替先である第１ネットワークまたは第２ネットワークを確定することと、ユーザ機器のアクセス中または切替先である第１ネットワークまたは第２ネットワークが今までアクセスしたネットワークと異なると判断した場合、ユーザ機器のアクセス中の第１ネットワークまたは第２ネットワークに対応するＱｏｓポリシーに基づいてユーザ機器に対しＱｏｓ制御を行い、および／または、ユーザ機器のアクセス中の第１ネットワークまたは第２ネットワークに対応する課金ポリシーに基づいてユーザ機器に対し課金制御を行うことに用いられる第３制御モジュールをさらに備えていてもよい。
【０１３７】
本発明の当該装置の実施例は、上記方法の実施例に対応する装置である。よって、上記方法の実施例におけるすべての実現手段は、いずれも当該装置の実施例に適用し、同一の技術効果を奏することもできる。
【０１３８】
図１５に示されるように、本発明の一部の実施例に係るネットワーク区別機器は、受信機１５１と、受信機に接続されるプロセッサ１５２とを備えている。受信機１５１は、複数のネットワークの構成情報を受信することに用いられる。構成情報は、第１ネットワークの少なくとも１つの第１ネットワーク属性情報と、第２ネットワークの少なくとも１つの第２ネットワーク属性情報とを含む。
【０１３９】
プロセッサ１５２は、構成情報における少なくとも１つの第１ネットワーク属性情報と、少なくとも１つの第２ネットワーク属性情報とのうち、異なる値を有する同一タイプの属性情報に基づいて、第１ネットワークと第２ネットワークとを区別する機能を実現するように配置される。少なくとも１つの第１ネットワーク属性情報は、第１ネットワークＩＤ、第１無線アクセスタイプおよび第１サービス位置エリアを含み、少なくとも１つの第２ネットワーク属性情報は、第２ネットワークＩＤ、第２無線アクセスタイプおよび第２サービス位置エリアを含む。
【０１４０】
プロセッサ１５２は、上記装置の実施例におけるすべてのモジュールによって実現される機能を実現するように配置されてもよく、上記装置の実施例が達成できる効果と同一の技術効果を奏することもできる。
【０１４１】
以上、具体的な実施例と結び付けて本発明の基本的な原理を記載した。しかし、当業者にとって、本発明の方法および装置のすべてまたは任意のステップや部品は、任意の計算装置（プロセッサ、記憶媒体などを含む）や計算装置のネットワークでハードウェア、ファームウェア、ソフトウェアまたはそれらの組み合わせによって実現されうることが理解できる。これは、当業者が本発明の説明を閲読して基本的なプログラミング技能を活用して実現できることである。
【０１４２】
したがって、本発明の目的は、任意の計算装置で１つまたは一連のプログラムを実行することによっても実現されうる。計算装置は、周知されている汎用装置である。したがって、本発明の目的は、上記方法または装置を実現するプログラムコードを含むプログラムプロダクトの提供のみでも実現されうる。すなわち、このようなプログラムプロダクトも本発明を構成し、しかもこのようなプログラムプロダクトを記憶した記憶媒体も本発明を構成する。明らかに、記憶媒体は、任意の周知される記憶媒体または将来開発されうる任意の記憶媒体である。なお、本発明の装置と方法において、各部品または各ステップは、分解および／または再度の組み合わせが可能である。これらの分解および／または再度の組み合わせは、本発明の同等効果手段と見なされるべきである。しかも、上記一連の処理を実行するステップは、自然に説明順に時間順で実行されるが、必ず時間順に実行される必要がない。一部のステップは、並行に実行されてもよいし、または、互いに独立に実行されてもよい。
【０１４３】
Ａ１）ネットワーク区別方法において、複数のネットワークの構成情報を取得するステップを含む。ここで、構成情報は、第１ネットワークの少なくとも１つの第１ネットワーク属性情報と、第２ネットワークの少なくとも１つの第２ネットワーク属性情報とを含む。さらに、構成情報における少なくとも１つの第１ネットワーク属性情報と少なくとも１つの第２ネットワーク属性情報とのうち、異なる値を有する同一タイプの属性情報に基づいて、第１ネットワークと第２ネットワークとを区別するステップを含む。ここで、少なくとも１つの第１ネットワーク属性情報は、第１ネットワークＩＤ、第１無線アクセスタイプおよび第１サービス位置エリアを含み、少なくとも１つの第２ネットワーク属性情報は、第２ネットワークＩＤ、第２無線アクセスタイプおよび第２サービス位置エリアを含む。
【０１４４】
Ａ２）Ａ１に記載のネットワーク区別方法において、構成情報における少なくとも１つの第１ネットワーク属性情報と少なくとも１つの第２ネットワーク属性情報とのうち、異なる値を有する同一タイプの属性情報に基づいて、第１ネットワークと第２ネットワークを区別するステップは、構成情報における第１ネットワークＩＤと第２ネットワークＩＤとが異なる場合、第１ネットワークＩＤと第２ネットワークＩＤとに基づいて、第１ネットワークと第２ネットワークとを区別するステップ、または、構成情報における第１無線アクセスタイプと第２無線アクセスタイプとが異なる場合、第１無線アクセスタイプと第２無線アクセスタイプに基づいて、第１ネットワークと第２ネットワークとを区別するステップ、または、構成情報における第１サービス位置エリアと第２サービス位置エリアとが異なる場合、第１サービス位置エリアと第２サービス位置エリアとに基づいて、第１ネットワークと第２ネットワークとを区別するステップを含む。
【０１４５】
Ａ３）Ａ２に記載のネットワーク区別方法において、第１ネットワークＩＤと第２ネットワークＩＤとが異なる場合、第１ネットワークＩＤと第２ネットワークＩＤとに基づいて、第１ネットワークと第２ネットワークとを区別するステップは、第１無線アクセスタイプと第２無線アクセスタイプとが同一であるものの、第１ネットワークＩＤと第２ネットワークＩＤとが異なる場合、第１ネットワークＩＤと第２ネットワークＩＤとに基づいて、第１ネットワークと第２ネットワークとを区別することを含む。
【０１４６】
Ａ４）Ａ２に記載のネットワーク区別方法において、第１無線アクセスタイプと第２無線アクセスタイプとが異なる場合、第１無線アクセスタイプと第２無線アクセスタイプに基づいて、第１ネットワークと第２ネットワークとを区別するステップは、第１ネットワークＩＤと第２ネットワークＩＤとが同一であるものの、第１無線アクセスタイプと第２無線アクセスタイプとが異なる場合、第１無線アクセスタイプと第２無線アクセスタイプとに基づいて、第１ネットワークと第２ネットワークとを区別することを含む。
【０１４７】
Ａ５）Ａ２に記載のネットワーク区別方法において、第１サービス位置エリアと第２サービス位置エリアとが異なる場合、第１サービス位置エリアと第２サービス位置エリアとに基づいて、第１ネットワークと第２ネットワークとを区別するステップは、第１ネットワークＩＤと第２ネットワークＩＤとが同一であり、第１無線アクセスタイプと第２無線アクセスタイプとが同一であるものの、第１サービス位置エリアと第２サービス位置エリアとが異なる場合、第１サービス位置エリアと第２サービス位置エリアとに基づいて、第１ネットワークと第２ネットワークとを区別することを含む。
【０１４８】
Ａ６）Ａ１に記載のネットワーク区別方法において、第１ネットワークと第２ネットワークとを区別した後に、ユーザ機器から第１ネットワークまたは第２ネットワークへのアクセスが許可される、および第１ネットワーク属性情報と第２ネットワーク属性情報に基づいて、ユーザ機器のユーザサーバ記憶情報を設置するステップをさらに含む。ここで、ユーザサーバ記憶情報は、ユーザ機器のアクセスが許可されるネットワークのネットワークＩＤリスト、ユーザ機器のアクセスが制限される無線アクセスタイプリスト、およびユーザ機器のアクセスが制限されるサービス位置エリアリストを含む。ここで、ユーザ機器のアクセスが許可されるネットワークのネットワークＩＤリストは、ユーザ機器の登録情報におけるホームネットワークと同等のネットワークのネットワークＩＤリストを含む。
【０１４９】
Ａ７）Ａ６に記載のネットワーク区別方法において、ユーザ機器から第１ネットワークまたは第２ネットワークへのアクセスが許可される、および第１ネットワーク属性情報と第２ネットワーク属性情報に基づいて、ユーザ機器のユーザサーバ記憶情報を設置するステップは、第１ネットワークＩＤと第２ネットワークＩＤとが同一であり、しかも第１ネットワークのタイプと第２ネットワークのタイプとが同一である場合、ユーザ機器から第１ネットワークまたは第２ネットワークへのアクセスが許可されなければ、第１ネットワークＩＤまたは第２ネットワークＩＤを含むようにユーザ機器のアクセスが許可されるネットワークのネットワークＩＤリストを設置し、第１ネットワークのタイプまたは第２ネットワークのタイプを含まないようにユーザ機器のアクセスが制限される無線アクセスタイプリストを設置し、第１サービス位置エリアまたは第２サービス位置エリアを含むようにユーザ機器のアクセスが制限されるサービス位置エリアリストを設置することを含む。
【０１５０】
Ａ８）Ａ６またはＡ７に記載のネットワーク区別方法において、第１ネットワークと第２ネットワークを区別した後に、ユーザ機器のユーザサーバ記憶情報を取得するステップと、区別された第１ネットワークまたは第２ネットワークへユーザ機器がアクセスしようとする場合、ユーザサーバ記憶情報に基づいて、アイドル状態のユーザ機器が第１ネットワークまたは第２ネットワークにアクセスするように制御するステップとをさらに含む。
【０１５１】
Ａ９）Ａ８に記載のネットワーク区別方法において、ユーザサーバ記憶情報に基づいて、アイドル状態のユーザ機器が第１ネットワークまたは第２ネットワークにアクセスするように制御するステップは、第１ネットワークＩＤまたは第２ネットワークＩＤがユーザ機器のアクセスが許可されるネットワークのネットワークＩＤリストに含まれる、かつ第１無線アクセスタイプまたは第２無線アクセスタイプがユーザ機器のアクセスが制限される無線アクセスタイプリストに含まれないのであれば、アイドル状態のユーザ機器から第１ネットワークまたは第２ネットワークへのアクセスを許可することを含む。第１ネットワークＩＤと第２ネットワークＩＤとが異なる、または、第１無線アクセスタイプと第２無線アクセスタイプとが異なる。
【０１５２】
Ａ１０）Ａ８に記載のネットワーク区別方法において、ユーザサーバ記憶情報に基づいて、アイドル状態のユーザ機器が第１ネットワークまたは第２ネットワークにアクセスするように制御するステップは、第１ネットワークＩＤまたは第２ネットワークＩＤがユーザ機器のアクセスが許可されるネットワークのネットワークＩＤリストに含まれる、かつ第１無線アクセスタイプまたは第２無線アクセスタイプがユーザ機器のアクセスが制限される無線アクセスタイプリストに含まれず、かつ第１サービス位置エリアまたは第２サービス位置エリアがユーザ機器のアクセスが制限されるサービス位置エリアリストに含まれないのであれば、アイドル状態のユーザ機器から第１ネットワークまたは第２ネットワークへのアクセスを許可し、そうでなければ、アイドル状態のユーザ機器から第１ネットワークまたは第２ネットワークへのアクセスを許可しないことを含む。第１ネットワークＩＤと第２ネットワークＩＤとが異なる、または、第１無線アクセスタイプと第２無線アクセスタイプとが異なる、または、第１サービス位置エリアと第２サービス位置エリアとが異なる。
【０１５３】
Ａ１１）Ａ８に記載のネットワーク区別方法において、ユーザ機器のユーザサーバ記憶情報を取得した後に、ユーザサーバ記憶情報に基づいて、ユーザ機器に関するネットワーク間での切替制限リストを生成して取得するステップと、切替制限リストに基づいて、接続状態のユーザ機器が第１ネットワークまたは第２ネットワークに切り替えるように制御するステップとをさらに含む。ここで、切替制限リストは、ユーザ機器の切り替えが許可される目標ネットワークのネットワークＩＤリスト、ユーザ機器の切り替えが制限される目標ネットワークの無線アクセスタイプリスト、およびユーザ機器の切り替えが制限される目標ネットワークのサービス位置エリアリストを含む。ユーザ機器の切り替えが許可される目標ネットワークのネットワークＩＤリストは、ユーザ機器の登録情報におけるホームネットワークと同等のネットワークのネットワークＩＤリストを含む。
【０１５４】
Ａ１２）Ａ１１に記載のネットワーク区別方法において、切替制限リストに基づいて、接続状態のユーザ機器が第１ネットワークまたは第２ネットワークに切り替えるように制御するステップは、第１ネットワークＩＤまたは第２ネットワークＩＤがユーザ機器の切り替えが許可される目標ネットワークのネットワークＩＤリストに含まれる、かつ第１無線アクセスタイプまたは第２無線アクセスタイプがユーザ機器のアクセスが制限される無線アクセスタイプリストに含まれず、かつ第１サービス位置エリアまたは第２サービス位置エリアがユーザ機器の切り替えが制限される目標ネットワークのサービス位置エリアリストに含まれないのであれば、接続状態のユーザ機器が第１ネットワークまたは第２ネットワークに切り替えることを許可するステップ、そうでなければ、接続状態のユーザ機器が第１ネットワークまたは第２ネットワークに切り替えることを許可しないステップを含む。第１ネットワークＩＤと第２ネットワークＩＤとが異なる、または、第１無線アクセスタイプと第２無線アクセスタイプとが異なる、または、第１サービス位置エリアと第２サービス位置エリアとが異なる。
【０１５５】
Ａ１３）Ａ１１に記載のネットワーク区別方法において、接続状態のユーザ機器が第１ネットワークまたは第２ネットワークに切り替えることを許可するステップの後に、ユーザ機器が第１ネットワークと第２ネットワークに切り替えることが許可される場合、第１ネットワークおよび第２ネットワークの切替優先度に基づいて、接続状態のユーザ機器を優先度の高いネットワークに切り替えることをさらに含む。
【０１５６】
Ａ１４）Ａ１１に記載のネットワーク区別方法において、ユーザ機器が第１ネットワークまたは第２ネットワークにアクセスまたは切り替えることを許可した後に、ユーザ機器の現在の位置情報に基づいて、ユーザ機器のアクセス中または切替先の第１ネットワークまたは第２ネットワークを確定するステップと、ユーザ機器のアクセス中または切替先の第１ネットワークまたは第２ネットワークが今までにアクセスしたネットワークのネットワークと異なると判断すると、ユーザ機器のアクセス中の第１ネットワークまたは第２ネットワークに対応するＱｏｓポリシーに基づいてユーザ機器に対しＱｏｓ制御を行い、および／または、ユーザ機器のアクセス中の第１ネットワークまたは第２ネットワークに対応する課金ポリシーに基づいてユーザ機器に対し課金制御を行うステップとをさらに含む。
【０１５７】
Ｂ１５）取得モジュールと区別モジュールとを備えるネットワーク区別装置において、取得モジュールは、複数のネットワークの構成情報を取得することに用いられ、構成情報は、第１ネットワークの少なくとも１つの第１ネットワーク属性情報と、第２ネットワークの少なくとも１つの第２ネットワーク属性情報とを含み、区別モジュールは、構成情報における少なくとも１つの第１ネットワーク属性情報と少なくとも１つの第２ネットワーク属性情報とのうち、異なる値を有する同一タイプの属性情報に基づいて、第１ネットワークと第２ネットワークとを区別することに用いられ、少なくとも１つの第１ネットワーク属性情報は、第１ネットワークＩＤ、第１無線アクセスタイプおよび第１サービス位置エリアを含み、少なくとも１つの第２ネットワーク属性情報は、第２ネットワークＩＤ、第２無線アクセスタイプおよび第２サービス位置エリアを含む。
【０１５８】
Ｃ１６）複数のネットワークの構成情報を受信することに用いられる受信機と、受信機に接続されるプロセッサを備えるネットワーク区別機器において、構成情報は、第１ネットワークの少なくとも１つの第１ネットワーク属性情報と、第２ネットワークの少なくとも１つの第２ネットワーク属性情報とを含み、プロセッサは、構成情報における少なくとも１つの第１ネットワーク属性情報と少なくとも１つの第２ネットワーク属性情報とのうち、異なる値を有する同一タイプの属性情報に基づいて、第１ネットワークと第２ネットワークとを区別する機能を実現するように配置され、少なくとも１つの第１ネットワーク属性情報は、第１ネットワークＩＤ、第１無線アクセスタイプおよび第１サービス位置エリアを含み、少なくとも１つの第２ネットワーク属性情報は、第２ネットワークＩＤ、第２無線アクセスタイプおよび第２サービス位置エリアを含む。
【０１５９】
以上の記載は、本発明の好適な実施形態である。なお、当業者にとって、本発明に記載される原理から逸脱することなく、若干の改良や修飾を行うことができる。これらの改良や修飾も、本発明の保護範囲とみなされるべきである。
【図１】
2019506099.tif 000007
【図２】
2019506099.tif 000008
【図３】
2019506099.tif 000009
【図４】
2019506099.tif 000010
【図５】
2019506099.tif 000011
【図６】
2019506099.tif 000012
【図７】
2019506099.tif 000013
【図８】
2019506099.tif 000014
【図９】
2019506099.tif 000015
【図１０】
2019506099.tif 000016
【図１１】
2019506099.tif 000017
【図１２】
2019506099.tif 000018
【図１３】
2019506099.tif 000019
【図１４】
2019506099.tif 000020
【図１５】
2019506099.tif 000021
【手続補正書】
【提出日】平成30年8月17日(2018.8.17)
【手続補正１】
【補正対象書類名】特許請求の範囲
【補正対象項目名】全文
【補正方法】変更
【補正の内容】
【特許請求の範囲】
【請求項１】
第１ネットワークの第１ネットワーク属性情報と、第２ネットワークの第２ネットワーク属性情報とを取得するステップと、
前記第１ネットワーク属性情報と前記第２ネットワーク属性情報とのうち、異なる値を有する同一タイプの属性情報に基づいて、前記第１ネットワークと前記第２ネットワークとを区別するステップとを含み、
前記第１ネットワーク属性情報が、第１ネットワークＩＤ、第１無線アクセスタイプおよび第１サービス位置エリアのうちの少なくとも１つを含み、
前記第２ネットワーク属性情報が、第２ネットワークＩＤ、第２無線アクセスタイプおよび第２サービス位置エリアのうちの少なくとも１つを含むネットワーク区別方法。
【請求項２】
前記第１ネットワーク属性情報と前記第２ネットワーク属性情報とのうち、異なる値を有する同一タイプの属性情報に基づいて、前記第１ネットワークと前記第２ネットワークとを区別するステップは、
前記第１ネットワークＩＤと前記第２ネットワークＩＤとが異なる場合、前記第１ネットワークＩＤと前記第２ネットワークＩＤとに基づいて、前記第１ネットワークと前記第２ネットワークとを区別するステップ、または
前記第１無線アクセスタイプと前記第２無線アクセスタイプとが異なる場合、前記第１無線アクセスタイプと前記第２無線アクセスタイプとに基づいて、前記第１ネットワークと前記第２ネットワークとを区別するステップ、
または
前記第１サービス位置エリアと前記第２サービス位置エリアとが異なる場合、前記第１サービス位置エリアと前記第２サービス位置エリアとに基づいて、前記第１ネットワークと前記第２ネットワークとを区別するステップを含む請求項１に記載のネットワーク区別方法。
【請求項３】
前記第１ネットワークＩＤと前記第２ネットワークＩＤとが異なる場合、前記第１ネットワークＩＤと前記第２ネットワークＩＤとに基づいて、前記第１ネットワークと前記第２ネットワークとを区別するステップは、
前記第１無線アクセスタイプと前記第２無線アクセスタイプとが同一であるものの、前記第１ネットワークＩＤと前記第２ネットワークＩＤとが異なる場合、前記第１ネットワークＩＤと前記第２ネットワークＩＤとに基づいて、前記第１ネットワークと前記第２ネットワークとを区別することを含む請求項２に記載のネットワーク区別方法。
【請求項４】
前記第１無線アクセスタイプと前記第２無線アクセスタイプとが異なる場合、前記第１無線アクセスタイプと前記第２無線アクセスタイプとに基づいて、前記第１ネットワークと前記第２ネットワークとを区別するステップは、
前記第１ネットワークＩＤと前記第２ネットワークＩＤとが同一であるものの、前記第１無線アクセスタイプと前記第２無線アクセスタイプとが異なる場合、前記第１無線アクセスタイプと前記第２無線アクセスタイプとに基づいて、前記第１ネットワークと前記第２ネットワークとを区別することを含む請求項２に記載のネットワーク区別方法。
【請求項５】
前記第１サービス位置エリアと前記第２サービス位置エリアとが異なる場合、前記第１サービス位置エリアと前記第２サービス位置エリアとに基づいて、前記第１ネットワークと前記第２ネットワークとを区別するステップは、
前記第１ネットワークＩＤと前記第２ネットワークＩＤとが同一であり、前記第１無線アクセスタイプと前記第２無線アクセスタイプとが同一であるものの、前記第１サービス位置エリアと前記第２サービス位置エリアとが異なる場合、前記第１サービス位置エリアと前記第２サービス位置エリアとに基づいて、前記第１ネットワークと前記第２ネットワークとを区別することを含む請求項２に記載のネットワーク区別方法。
【請求項６】
前記第１ネットワークと前記第２ネットワークとを区別した後に、
ユーザ機器から前記第１ネットワークまたは前記第２ネットワークへのアクセスが許可される、および前記第１ネットワーク属性情報と前記第２ネットワーク属性情報とに基づいて、前記ユーザ機器のユーザサーバ記憶情報を設置するステップをさらに含み、
前記ユーザサーバ記憶情報が、前記ユーザ機器のアクセスが許可されるネットワークのネットワークＩＤリスト、ユーザ機器のアクセスが制限される無線アクセスタイプリスト、および前記ユーザ機器のアクセスが制限されるサービス位置エリアリストを含み、
前記ユーザ機器のアクセスが許可される前記ネットワークの前記ネットワークＩＤリストが、前記ユーザ機器の登録情報におけるホームネットワークと同等の前記ネットワークの前記ネットワークＩＤリストを含む請求項１に記載のネットワーク区別方法。
【請求項７】
前記ユーザ機器から前記第１ネットワークまたは前記第２ネットワークへのアクセスが許可される、および前記第１ネットワーク属性情報と前記第２ネットワーク属性情報とに基づいて、前記ユーザ機器の前記ユーザサーバ記憶情報を設置するステップは、
前記第１ネットワークＩＤと前記第２ネットワークＩＤとが同一であり、前記第１ネットワークのタイプと前記第２ネットワークのタイプとが同一である場合、前記ユーザ機器から前記第１ネットワークまたは前記第２ネットワークへのアクセスが許可されなければ、前記第１ネットワークＩＤまたは前記第２ネットワークＩＤを含むように前記ユーザ機器のアクセスが許可される前記ネットワークの前記ネットワークＩＤリストを設置し、前記第１ネットワークのタイプまたは第２ネットワークのタイプを含まないように前記ユーザ機器のアクセスが制限される無線アクセスタイプリストを設置し、前記第１サービス位置エリアまたは前記第２サービス位置エリアを含むように前記ユーザ機器のアクセスが制限されるサービス位置エリアリストを設置することを含む請求項６に記載のネットワーク区別方法。
【請求項８】
前記第１ネットワークと前記第２ネットワークとを区別した後に、
前記ユーザ機器の前記ユーザサーバ記憶情報を取得するステップと、
区別された前記第１ネットワークまたは前記第２ネットワークへ前記ユーザ機器がアクセスしようとする場合、前記ユーザサーバ記憶情報に基づいて、アイドル状態の前記ユーザ機器が前記第１ネットワークまたは前記第２ネットワークにアクセスするように制御するステップとをさらに含む請求項６または請求項７に記載のネットワーク区別方法。
【請求項９】
前記ユーザサーバ記憶情報に基づいて、アイドル状態の前記ユーザ機器が前記第１ネットワークまたは前記第２ネットワークにアクセスするように制御するステップは、
前記第１ネットワークＩＤまたは前記第２ネットワークＩＤが前記ユーザ機器のアクセスが許可される前記ネットワークＩＤリストに含まれ、かつ前記第１無線アクセスタイプまたは前記第２無線アクセスタイプが前記ユーザ機器のアクセスが制限される前記無線アクセスタイプリストに含まれず、かつ前記第１サービス位置エリアまたは前記第２サービス位置エリアが前記ユーザ機器のアクセスが制限される前記サービス位置エリアリストに含まれないのであれば、アイドル状態の前記ユーザ機器から前記第１ネットワークまたは前記第２ネットワークへのアクセスを許可し、そうでなければ、アイドル状態の前記ユーザ機器から前記第１ネットワークまたは前記第２ネットワークへのアクセスを許可しないことを含み、
前記第１ネットワークＩＤと前記第２ネットワークＩＤとが異なり、または、前記第１無線アクセスタイプと前記第２無線アクセスタイプとが異なり、または、前記第１サービス位置エリアと前記第２サービス位置エリアとが異なる請求項８に記載のネットワーク区別方法。
【請求項１０】
前記ユーザ機器の前記ユーザサーバ記憶情報を取得した後に、
該ユーザサーバ記憶情報に基づいて、前記ユーザ機器に関する前記ネットワーク間での切替制限リストを生成して取得するステップと、
前記切替制限リストに基づいて、接続状態の前記ユーザ機器が前記第１ネットワークまたは前記第２ネットワークに切り替えるように制御するステップとをさらに含み、
前記切替制限リストが、前記ユーザ機器の切り替えが許可される目標ネットワークのネットワークＩＤリスト、前記ユーザ機器の切り替えが制限される前記目標ネットワークの無線アクセスタイプリスト、および前記ユーザ機器の切り替えが制限される前記目標ネットワークのサービス位置エリアリストを含み、
前記ユーザ機器の切り替えが許可される前記目標ネットワークの前記ネットワークＩＤリストが、前記ユーザ機器の登録情報におけるホームネットワークと同等の前記ネットワークの前記ネットワークＩＤリストを含む請求項８に記載のネットワーク区別方法。
【請求項１１】
前記切替制限リストに基づいて、接続状態の前記ユーザ機器が前記第１ネットワークまたは前記第２ネットワークに切り替えるように制御するステップは、
前記第１ネットワークＩＤまたは前記第２ネットワークＩＤが前記ユーザ機器の切り替えが許可される前記目標ネットワークの前記ネットワークＩＤリストに含まれ、かつ前記第１無線アクセスタイプまたは前記第２無線アクセスタイプが前記ユーザ機器のアクセスが制限される前記無線アクセスタイプリストに含まれず、かつ前記第１サービス位置エリアまたは前記第２サービス位置エリアが前記ユーザ機器の切り替えが制限される前記目標ネットワークの前記サービス位置エリアリストに含まれないのであれば、接続状態の前記ユーザ機器が前記第１ネットワークまたは前記第２ネットワークに切り替えることを許可するステップ、
そうでなければ、接続状態の前記ユーザ機器が前記第１ネットワークまたは前記第２ネットワークに切り替えることを許可しないステップを含み、
前記第１ネットワークＩＤと前記第２ネットワークＩＤとが異なり、または、前記第１無線アクセスタイプと前記第２無線アクセスタイプとが異なり、または、前記第１サービス位置エリアと前記第２サービス位置エリアとが異なる請求項１０に記載のネットワーク区別方法。
【請求項１２】
接続状態の前記ユーザ機器が前記第１ネットワークまたは前記第２ネットワークに切り替えることを許可するステップの後に、
接続状態の前記ユーザ機器から前記第１ネットワークと前記第２ネットワークとの両方へのアクセスが許可される場合、前記第１ネットワークと前記第２ネットワークの切替優先度に基づいて、接続状態の前記ユーザ機器を前記第１ネットワークと前記第２ネットワークとのうち優先度の高い前記ネットワークに切り替えることをさらに含む請求項１１に記載のネットワーク区別方法。
【請求項１３】
接続状態の前記ユーザ機器が前記第１ネットワークまたは前記第２ネットワークに切り替えるように制御するステップの後に、
前記ユーザ機器の現在の位置情報に基づいて、前記ユーザ機器の現在の切替先である前記第１ネットワークまたは前記第２ネットワークを確定するステップと、
前記ユーザ機器の現在の切替先である前記第１ネットワークまたは前記第２ネットワークに対応するＱｏｓポリシーに基づいて前記ユーザ機器に対しＱｏｓ制御を行い、および／または、前記ユーザ機器の現在の切替先である前記第１ネットワークまたは前記第２ネットワークに対応する課金ポリシーに基づいて前記ユーザ機器に対し課金制御を行うステップとをさらに含む請求項１０に記載のネットワーク区別方法。
【請求項１４】
アイドル状態の前記ユーザ機器が前記第１ネットワークまたは前記第２ネットワークにアクセスするように制御するステップの後に、
前記ユーザ機器の現在の位置情報に基づいて、前記ユーザ機器のアクセス中の前記第１ネットワークまたは前記第２ネットワークを確定するステップと、
前記ユーザ機器のアクセス中の前記第１ネットワークまたは前記第２ネットワークに対応するＱｏｓポリシーに基づいて前記ユーザ機器に対しＱｏｓ制御を行い、および／または、前記ユーザ機器のアクセス中の前記第１ネットワークまたは前記第２ネットワークに対応する課金ポリシーに基づいて前記ユーザ機器に対し課金制御を行うステップとをさらに含む請求項８に記載のネットワーク区別方法。
【請求項１５】
第１ネットワークの第１ネットワーク属性情報と、第２ネットワークの第２ネットワーク属性情報とを取得する取得モジュールと、
前記第１ネットワーク属性情報と前記第２ネットワーク属性情報とのうち、異なる値を有する同一タイプの属性情報に基づいて、前記第１ネットワークと前記第２ネットワークとを区別する区別モジュールとを備え、
前記第１ネットワーク属性情報が、第１ネットワークＩＤ、第１無線アクセスタイプおよび第１サービス位置エリアのうちの少なくとも１つを含み、
前記第２ネットワーク属性情報が、第２ネットワークＩＤ、第２無線アクセスタイプおよび第２サービス位置エリアのうちの少なくとも１つを含むネットワーク区別装置。
【国際調査報告】
2019506099.tif 000022
2019506099.tif 000023
2019506099.tif 000024
2019506099.tif 000025